(57)【特許請求の範囲】
【請求項１】
第１無線通信回路を備え、該第１無線通信回路が第１の無線アクセス技術（ＲＡＴ）及び第２のＲＡＴに基づき動作するように構成可能であるユーザ装置（ＵＥ）において、
前記第１無線通信回路を使用して、第１のハンドオーバ期間の間に前記第１のＲＡＴの第１のベースステーションから第２のベースステーションへのハンドオーバを遂行し、
前記第１のハンドオーバ期間の間に、第１無線通信回路を使用して、前記第２のＲＡＴのためのページデコーディングを遂行し、前記第１のハンドオーバ期間の間に前記ＵＥは、第２のＲＡＴに対する隣接セル同期を遂行せず、
前記第１のハンドオーバ期間の後、前記第１無線通信回路を使用して、第２のＲＡＴの隣接セル同期を遂行する、
ことを含む方法。
【請求項２】
前記第１のＲＡＴに関連付けられたランダムアクセルチャネル（ＲＡＣＨ）状態の間に前記第２のＲＡＴのページデコーディングを遂行する、請求項１に記載の方法。
【請求項３】
前記第１のハンドオーバ期間の後、前記第２のＲＡＴに対する隣接セル同期に応答して、前記第２のＲＡＴのためのハンドオーバを遂行する、請求項１に記載の方法。
【請求項４】
前記第１のハンドオーバ期間の後、前記第２のＲＡＴの隣接セル測定を遂行する、請求項１に記載の方法。
【請求項５】
ＵＥは、ＳＩＭ（加入者アイデンティティモジュール）機能を実施するように各々構成された２つのスマートカードを含み、ＵＥは、第１無線通信回路を使用してＤＳＤＡ（デュアルＳＩＭデュアルアクティブ）機能を実施するように構成される、請求項１に記載の方法。
【請求項６】
前記ＵＥはセルラー通信を遂行するための単一の無線通信回路のみを有し、前記単一の無線通信回路は前記第１無線通信回路である、請求項１に記載の方法。
【請求項７】
前記第１のＲＡＴは、ロング・ターム・エボリューション（ＬＴＥ）を含む、請求項１に記載の方法。
【請求項８】
前記第２のＲＡＴはグローバルシステム・フォア・モバイルコミュニケーションズ（ＧＳＭ）を含む、請求項７に記載の方法。
【請求項９】
ユーザ装置（ＵＥ）であって、
第１の無線アクセス技術（ＲＡＴ）及び第２のＲＡＴを使用して通信を遂行しそして第１のＲＡＴ及び第２のＲＡＴの両方への接続を同時に維持するように構成された第１無線通信回路と、
前記第１無線通信回路に結合された１つ以上のプロセッサと、
を備え、前記１つ以上のプロセッサ及び前記第１無線通信回路は、
第１のハンドオーバ期間の間に、前記ＲＡＴの第１のベースステーションから第２のベースステーションへのハンドオーバを遂行し、
前記第１のハンドオーバ期間の間に、前記第２のＲＡＴのためのページデコーディングを遂行し、前記第１のハンドオーバ期間の間に、前記ＵＥは前記第２のＲＡＴのための隣接セル測定を遂行せず、
前記第１のハンドオーバ期間の後、前記第２のＲＡＴの隣接セル測定を遂行する、
ように構成されたユーザ装置（ＵＥ）。
【請求項１０】
前記１つ以上のプロセッサ及び第１無線通信回路は、前記第２のＲＡＴの隣接セル同期を遂行するように構成され、前記第１のハンドオーバ期間の間、前記ＵＥは隣接セル同期を実行しない、請求項９に記載のＵＥ。
【請求項１１】
前記１つ以上のプロセッサ及び第１無線通信回路は、前記第１のハンドオーバ期間の後、前記第２のＲＡＴのためのハンドオーバを遂行するように構成される、請求項９に記載のＵＥ。
【請求項１２】
第２のＲＡＴのためのページデコーディングの遂行は、前記第１のＲＡＴに関連付けられたランダムアクセスチャネル（ＲＡＣＨ）状態の間に遂行される、請求項９に記載のＵＥ。
【請求項１３】
ＵＥは、ＳＩＭ（加入者アイデンティティモジュール）機能を実施するように各々構成された２つのスマートカードを含み、ＵＥは、第１無線通信回路を使用してＤＳＤＡ（デュアルＳＩＭデュアルアクティブ）機能を実施するように構成される、請求項９に記載のＵＥ。
【請求項１４】
前記ＵＥはセルラー通信を遂行するための単一の無線通信回路を含み、前記単一の無線通信回路は前記第１の無線通信回路である、請求項９に記載のＵＥ。
【請求項１５】
前記第１のＲＡＴは、ロング・ターム・エボリューション（ＬＴＥ）を含み、前記第２のＲＡＴはグローバルシステム・フォア・モバイルコミュニケーションズ（ＧＳＭ）を含む、請求項９に記載のＵＥ。
【請求項１６】
ユーザ装置（ＵＥ）によりハンドオーバを遂行するためのプログラムインストラクションを記憶する非一時的コンピュータアクセス可能なメモリ媒体において、ＵＥは、第１の無線アクセス技術（ＲＡＴ）及び第２のＲＡＴを使用して通信するための第１の無線通信回路のみを備え、前記プログラムインストラクションは、
ＵＥの第１無線通信回路により、第１のハンドオーバ期間の間に、第１のＲＡＴの第１のベースステーションから第２のベースステーションへのハンドオーバを遂行し、
ＵＥの第１無線通信回路により、前記第１のハンドオーバ期間の間に、第２のＲＡＴのためのハンドオーバ手順、隣接セル同期または隣接セル測定を遂行することなく前記第２のＲＡＴのためのページデコーディングを遂行し、
前記第１のＲＡＴの前記第１のベースステーションから前記第２のベースステーションへのハンドオーバの遂行を完了する、
ようにプロセッサにより実行される、非一時的コンピュータアクセス可能なメモリ媒体。
【請求項１７】
前記プログラムインストラクションはさらに、
前記第１のハンドオーバ期間の後、前記第２のＲＡＴのための隣接セル測定及び同期の少なくとも一方を遂行する、
ように実行される、請求項１６に記載の非一時的コンピュータアクセス可能なメモリ媒体。
【請求項１８】
前記プログラムインストラクションはさらに、
前記第１のハンドオーバ期間の後、前記第２のＲＡＴのための隣接セル測定のためのハンドオーバを遂行する、
ように実行される、請求項１６に記載の非一時的コンピュータアクセス可能なメモリ媒体。
【請求項１９】
ＵＥは、ＳＩＭ（加入者アイデンティティモジュール）機能を実施するように各々構成された２つのスマートカードを含み、ＵＥは、第１無線通信回路を使用してＤＳＤＡ（デュアルＳＩＭデュアルアクティブ）機能を実施するように構成される、請求項１６に記載の非一時的コンピュータアクセス可能なメモリ媒体。
【請求項２０】
前記第１のＲＡＴは、ロング・ターム・エボリューション（ＬＴＥ）を含む、請求項１６に記載の非一時的コンピュータアクセス可能なメモリ媒体。
【発明の詳細な説明】
【技術分野】
【０００１】
本発明は、ワイヤレス装置に関するもので、より特定すれば、複数の無線アクセス技術（ＲＡＴ）をサポートするワイヤレス装置の性能改善及び／又は消費電力の減少を与えるシステム及び方法に関する。
【背景技術】
【０００２】
ワイヤレス通信システムは、その利用が急速に成長している。更に、ワイヤレス通信技術は、音声のみの通信からインターネット及びマルチメディアコンテンツのようなデータの送信も含むように進化した。それ故、ワイヤレス通信の改善が望まれる。特に、ユーザ装置（ＵＥ）、例えば、セルラー電話のようなワイヤレス装置に存在する多量の機能は、ＵＥのバッテリ寿命に著しい負担を課する。更に、ＵＥが複数の無線アクセス技術（ＲＡＴ）をサポートするように構成される場合には、１つ以上のＲＡＴに、他のＲＡＴのチューンアウェイ(tune-away)動作等により、ある性能低下が生じる。その結果、そのようなワイヤレスＵＥ装置において電力の節約及び／又は性能改善を与える技術が望まれる。
【０００３】
既存のＲＡＴに加えて、新規で且つ改善されたセルラー無線アクセス技術（ＲＡＴ）が時々展開される。例えば、第３世代パートナーシッププロジェクト（３ＧＰＰ）によって開発されて標準化されたロング・ターム・エボリューション（ＬＴＥ）技術を実施するネットワークが現在展開されている。ＬＴＥ及び他の新規なＲＡＴは、種々の第２世代（２Ｇ）及び第３世代（３Ｇ）ＲＡＴのようなレガシーＲＡＴを利用するネットワークより高速のデータレートをしばしばサポートする。
【０００４】
しかしながら、ある展開において、ＬＴＥ及び他の新規なＲＡＴは、レガシーネットワークにより取り扱うことのできる幾つかのサービスを完全にサポートしないことがある。従って、ＬＴＥネットワークは、レガシーネットワークと重畳する領域においてしばしば共通展開され、そしてＵＥ装置は、サービス又はカバレージで要求されるときにＲＡＴ間を遷移する。例えば、ある展開において、ＬＴＥネットワークは、ボイスコールをサポートすることができない。従って、例えば、ＵＥ装置が、ボイスコールをサポートしないＬＴＥネットワークに接続されている間に、回路交換ボイスコールを受信又は発信するときには、ＵＥ装置は、他の可能性の中で、ボイスコールをサポートするＧＳＭ（登録商標）（グローバルシステム・フォア・モバイルコミュニケーションズ）ＲＡＴ、又は“１Ｘ”（コード分割多重アクセス２０００（ＣＤＭＡ２０００）１Ｘ）ＲＡＴを使用するもの、等のレガシーネットワークへ遷移することができる。
【０００５】
あるＵＥ装置は、単一無線を使用して、複数のセルラーＲＡＴの動作をサポートする。例えば、あるＵＥ装置は、単一無線を使用してＬＴＥ及びＧＳＭの両ネットワークの動作をサポートする。複数のＲＡＴに単一無線を使用すると、到来するボイスコール又は回路交換サービスに対するページメッセージ等に応答して行うネットワーク間での遷移をより複雑なものにする。加えて、複数のＲＡＴに単一無線を使用すると、幾つかの電力使用及び性能上の問題が生じる。
【０００６】
例えば、そのようなシステムでは、ＵＥは、例えば、ボイスコールのページングチャンネルを聞くため、より進歩したＲＡＴを使用する第１のネットワークから、レガシーＲＡＴを使用する第２のネットワークへ周期的にチューンすることができる。しかしながら、ＬＴＥのようなより進歩したＲＡＴから、ＧＳＭのようなレガシーＲＡＴへのそのようなチューンアウェイ動作は、ＬＴＥネットワークの消費電力を増加し、及び／又は性能を低下させる。
【発明の概要】
【発明が解決しようとする課題】
【０００７】
それ故、ＵＥ装置が単一無線を使用して複数のセルラーＲＡＴの動作をサポートするワイヤレス通信システムにおいて性能及び消費電力の改善を提供することが望まれる。
【課題を解決するための手段】
【０００８】
ここに述べる実施形態は、ユーザ装置（ＵＥ）及び選択的チューンアウェイを遂行するための関連方法に関する。ＵＥは、第１の無線アクセス技術（ＲＡＴ）及び第２のＲＡＴにより動作するよう構成された第１無線を備えている。ＵＥは、その第１無線を使用し、第１のＲＡＴ及び第２のＲＡＴを使用して通信を行うように、無線を使用する。又、ＵＥは、第２のＲＡＴに対する受信信号強度の測定も実行する。ＵＥは、受信信号強度がスレッシュホールド未満であるかどうか決定する。受信信号強度がスレッシュホールド未満である場合には、隣接セルの測定及び／又は同期が実行される。しかしながら、受信信号の強度がスレッシュホールドより大きい場合には、隣接セルの測定及び／又は同期は実行されない。ＵＥは、第１無線を使用して第２のＲＡＴに対して、例えば、第２のＲＡＴの各不連続受信（ＤＲＸ）サイクルに対して、ページデコーディングを実行し続ける。
【０００９】
ここに述べる実施形態は、ユーザ装置（ＵＥ）及びＵＥのハンドオーバーを遂行するための関連方法に関する。ＵＥは、第１の無線アクセス技術（ＲＡＴ）及び第２のＲＡＴを使用して通信するように構成された第１無線を備えている。ＵＥは、単一無線を使用する第１のハンドオーバー周期中に第１の無線アクセス技術（ＲＡＴ）において第１のベースステーションから第２のベースステーションへのハンドオーバーを遂行する。第１のハンドオーバー周期中に、ＵＥは、単一無線を使用して第２のＲＡＴに対してページデコーディングを遂行する。しかしながら、第１のハンドオーバー周期中に、ＵＥは、第２のＲＡＴを再選択するための隣接セルの同期を遂行しない。第１のハンドオーバー周期の後に、ＵＥは、単一無線を使用して第２のＲＡＴを再選択するため隣接セルの同期を遂行する。
【００１０】
この概要は、ここに述べる要旨の態様を基本的に理解するために規範的実施形態の概要を記載するものである。従って、上述した特徴は、単なる例示に過ぎず、ここに述べる要旨の範囲又は精神を何ら限定するものではない。ここに述べる要旨の他の特徴、態様及び効果は、以下の詳細な説明、添付図面及び特許請求の範囲から明らかとなるであろう。
【００１１】
本発明の実施形態の以下の詳細な説明を添付図面と共に考慮したときに、本発明を良く理解することができるであろう。
【図面の簡単な説明】
【００１２】
【図１】一実施形態による規範的なユーザ装置（ＵＥ）を示す。
【図２】ＵＥが２つの異なるＲＡＴを使用して２つのベースステーションと通信する規範的なワイヤレス通信システムを示す。
【図３】一実施形態によるベースステーションの規範的なブロック図である。
【図４】一実施形態によるＵＥの規範的なブロック図である。
【図５Ａ】一実施形態によるＵＥのワイヤレス通信回路の規範的なブロック図である。
【図５Ｂ】一実施形態によるＵＥのワイヤレス通信回路の規範的なブロック図である。
【図６】測定及び／又は同期を遂行するための規範的な方法を示すフローチャートである。
【図７】ハンドオーバー中にページデコーディングを遂行するための規範的な方法を示すフローチャートである。
【図８】図７の一実施形態に対応する規範的なタイミング図である。
【発明を実施するための形態】
【００１３】
本発明は種々の変更や代替的形態を受け易いが、その特定の実施形態を添付図面に一例として示して、以下に詳細に説明する。しかしながら、添付図面及びそれに対する詳細な説明は、本発明をここに開示する特定の形態に限定するものではなく、逆に、特許請求の範囲により規定された本発明の精神及び範囲に包含される全ての変更、等効物及び代替物を網羅することを意図していることを理解されたい。
【００１４】
頭字語
本開示では、次の頭字語を使用する。
３ＧＰＰ：第３世代パートナーシッププロジェクト
３ＧＰＰ２：第３世代パートナーシッププロジェクト２
ＧＳＭ：グローバルシステム・フォア・モバイルコミュニケーションズ
ＵＭＴＳ：ユニバーサルモバイルテレコミュニケーションズシステム
ＬＴＥ：ロング・ターム・エボリューション
ＲＡＴ：無線アクセス技術
ＴＸ：送信
ＲＸ：受信
【００１５】
用語
本明細書で使用される用語集は、次の通りである。
メモリ媒体：種々のタイプのメモリ装置又はストレージ装置のいずれか。「メモリ媒体」という用語は、インストール媒体、例えば、ＣＤ−ＲＯＭ、フロッピー（登録商標）ディスク、又はテープ装置；コンピュータシステムメモリ又はランダムアクセスメモリ、例えば、ＤＲＡＭ、ＤＤＲ  ＲＡＭ、ＳＲＡＭ、ＥＤＯ  ＲＡＭ、Ｒａｍｂｕｓ  ＲＡＭ、等；不揮発性メモリ、例えば、フラッシュ、磁気媒体、例えば、ハードドライブ又は光学的ストレージ；レジスタ又は他の同様のタイプのメモリ要素、等を含むことが意図される。メモリ媒体は、他のタイプのメモリ、及びその組み合わせを含む。加えて、メモリ媒体は、プログラムが実行される第１のコンピュータシステムに配置されるか、又はインターネットのようなネットワークを経て第１のコンピュータシステムに接続される第２の異なるコンピュータシステムに配置される。後者の場合には、第２のコンピュータシステムは、プログラムインストラクションを、実行のために第１のコンピュータに与える。「メモリ媒体」という用語は、異なる位置、例えば、ネットワークを経て接続された異なるコンピュータシステム、に存在する２つ以上のメモリ媒体を含む。メモリ媒体は、１つ以上のプロセッサにより実行されるプログラムインストラクション（例えば、コンピュータプログラムとして実施される）を記憶する。
【００１６】
キャリア媒体：上述したメモリ媒体、並びに物理的な送信媒体、例えば、電気、磁気又はデジタル信号のような信号を搬送するバス、ネットワーク、及び／又は他の物理的送信媒体。
【００１７】
プログラマブルハードウェア要素：プログラム可能な相互接続部を経て接続された複数のプログラム可能な機能ブロックを含む種々のハードウェア装置を備えている。例えば、ＦＰＧＡ（フィールドプログラマブルゲートアレイ）、ＰＬＤ（プログラマブルロジック装置）、ＦＰＯＡ（フィールドプログラマブルオブジェクトアレイ）、及びＣＰＬＤ（コンプレックスＰＬＤ）を含む。プログラマブル機能ブロックは、微細粒度（コンビナトリアルロジック又はルックアップテーブル）から粗い粒度（演算論理ユニット又はプロセッサコア）までの範囲である。プログラム可能なハードウェア要素は、「再構成可能なロジック」とも称される。
【００１８】
コンピュータシステム：パーソナルコンピュータシステム（ＰＣ）、メインフレームコンピュータシステム、ワークステーション、ネットワーク機器、インターネット機器、パーソナルデジタルアシスタント（ＰＤＡ）、パーソナル通信装置、スマートホン、テレビジョンシステム、グリッドコンピューティングシステム、或いは他の装置又は装置の組み合わせを含む種々のタイプのコンピューティング又は処理システムのいずれか。一般的に、「コンピュータシステム」という用語は、メモリ媒体からのインストラクションを実行する少なくとも１つのプロセッサを有する装置（又は装置の組み合わせ）を包含するように広く定義される。
【００１９】
ユーザ装置（ＵＥ）（又は「ＵＥ装置」）：移動又はポータブルであり且つワイヤレス通信を実行する種々のタイプのコンピュータシステム装置のいずれか。ＵＥ装置は、例えば、移動電話又はスマートホン（例えば、ｉＰｈｏｎｅTM、ＡｎｄｒｏｉｄTM−ベースの電話）、ポータブルゲーム機（例えば、ＮｉｎｔｅｎｄｏＤＳTM、ＰｌａｙＳｔａｔｉｏｎ  ＰｏｒｔａｂｌｅTM、Ｇａｍｅｂｏｙ  ＡｄｖａｎｃｅTM、ｉＰｈｏｎｅTM）、ラップトップ、ＰＤＡ、ポータブルインターネット装置、音楽プレーヤ、データストレージ装置、他のハンドヘルド装置、並びにウェラブル装置、例えば、腕時計、ヘッドホン、ペンダント、イヤホン、等を含む。一般的に、「ＵＥ」又は「ＵＥ装置」という用語は、ユーザにより容易に持ち運びされそしてワイヤレス通信することのできる電子、コンピューティング及び／又はテレコミュニケーション装置（又は装置の組み合わせ）を包含するように広く定義される。
【００２０】
ベースステーション：「ベースステーション」という用語は、全範囲の通常の意味を有するもので、少なくとも、固定位置にインストールされて、ワイヤレス電話システム又は無線システムの一部分として通信するのに使用されるワイヤレス通信ステーションを包含する。
【００２１】
処理要素：種々の要素又は要素の組み合わせを指す。処理要素は、例えば、ＡＳＩＣ（特定用途向け集積回路）のような回路、個々のプロセッサコアの部分又は回路、全プロセッサコア、個々のプロセッサ、フィールドプログラマブルゲートアレイ（ＦＰＧＡ）のようなプログラム可能なハードウェア装置、及び／又は複数のプロセッサを含むシステムの大きな部分を含む。
【００２２】
自動的：アクション又は動作を直接明示し又は遂行するユーザ入力なしに、コンピュータシステム（例えば、コンピュータシステムにより実行されるソフトウェア）或いは装置（例えば、回路、プログラム可能なハードウェア要素、ＡＳＩＣ、等）により遂行されるアクション又は動作を指す。従って、「自動的」という用語は、ユーザが動作を直接遂行するための入力を与えるように、ユーザにより動作が手動で遂行され又は明示されるのとは対照的である。自動的な手順は、ユーザにより与えられた入力によって開始されるが、「自動的に」遂行されるその後のアクションは、ユーザによって明示されず、即ちユーザが遂行すべき各アクションを明示して「手動」で遂行されるのではない。例えば、各フィールドを選択しそして入力明示情報を与える（例えば、情報をタイプし、チェックボックスを選択し、無線を選択し、等により）ことにより電子的フォームを埋めるユーザは、コンピュータシステムがユーザのアクションに応答してフォームを更新しなくてはならなくても、フォームを手動で埋める。フォームは、コンピュータシステムにより自動的に埋められてもよく、この場合、コンピュータシステム（例えば、コンピュータシステムで実行されるソフトウェア）は、フォームのフィールドを分析し、そしてフィールドへの返答を明示するユーザ入力なしにフォームを埋める。上述したように、ユーザは、フォームを自動的に埋めることを求めるが、フォームを実際に埋めることには関与しない（例えば、ユーザは、フィールドへの返答を手動で明示せず、それは、自動的に完成される）。本明細書は、ユーザがとったアクションに応答して自動的に遂行される動作の種々の例について述べる。
【００２３】
図１：ユーザ装置
図１は、一実施形態による規範的なユーザ装置（ＵＥ）１０６を示す。ＵＥ１０６という語は、上述した種々の装置のいずれかである。ＵＥ装置１０６は、種々の材料のいずれかで構成されるハウジング１２を備えている。ＵＥ１０６は、容量性タッチ電極を合体するタッチスクリーンであるディスプレイ１４を有する。ディスプレイ１４は、種々のディスプレイ技術のいずれかに基づく。ＵＥ１０６のハウジング１２は、種々の要素、例えば、ホームボタン１６、スピーカポート１８、及び他の要素（図示せず）、例えば、マイクロホン、データポート、及び考えられる他の種々のタイプのボタン、例えば、ボリュームボタン、リンガーボタン、等のための開口を含み又は備えている。
【００２４】
ＵＥ１０６は、複数の無線アクセス技術（ＲＡＴ）をサポートする。例えば、ＵＥ１０６は、グローバルシステム・フォア・モバイルコミュニケーションズ（ＧＳＭ）、ユニバーサルモバイルテレコミュニケーションズシステム（ＵＭＴＳ）、コード分割多重アクセス（ＣＤＭＡ）（例えば、ＣＤＭＡ２０００  １ＸＲＴＴ又は他のＣＤＭＡ無線アクセス技術）、ロング・ターム・エボリューション（ＬＴＥ）、アドバンストＬＴＥ、及び／又は他のＲＡＴ、の２つ以上のような種々のＲＡＴのいずれかを使用して通信するように構成される。例えば、ＵＥ１０６は、ＬＴＥ及びＧＳＭのような少なくとも２つの無線アクセス技術をサポートする。必要に応じて、種々の異なる又は他のＲＡＴをサポートすることもできる。
【００２５】
ＵＥ１０６は、１つ以上のアンテナを備えている。又、ＵＥ１０６は、１つ以上の送信器チェーン（ＴＸチェーン）及び１つ以上の受信器チェーン（ＲＸチェーン）の種々の組み合わせのような種々の無線構成のいずれかを含む。例えば、ＵＥ１０６は、２つ以上のＲＡＴをサポートする無線を含む。その無線は、単一ＴＸ（送信）チェーン及び単一ＲＸ（受信）チェーンを含む。或いは又、無線は、単一のＴＸチェーン及び同じ周波数で動作する２つのＲＸチェーンを含んでもよい。別の実施形態では、ＵＥ１０６は、２つ以上の無線、即ち２つ以上のＴＸ／ＲＸチェーン（２つ以上のＴＸチェーン及び２つ以上のＲＸチェーン）を備えている。
【００２６】
ここに述べる実施形態では、ＵＥ１０６は、２つ以上のＲＡＴを使用して通信する２つのアンテナを備えている。例えば、ＵＥ１０６は、単一の無線又は共有無線に結合された一対のセルラー電話アンテナを有する。それらのアンテナは、スイッチング回路及び他の高周波フロントエンド回路を使用して共有無線（共有ワイヤレス通信回路）に結合される。例えば、ＵＥ１０６は、トランシーバ又は無線に結合された第１のアンテナ、即ち送信のために送信器チェーン（ＴＸチェーン）結合され且つ受信のために第１の受信チェーン（ＲＸチェーン）に結合された第１のアンテナを有する。又、ＵＥ１０６は、第２のＲＸチェーンに結合された第２のアンテナも備えている。第１及び第２の受信チェーンは、共通の局部発振器を共有し、これは、第１及び第２の受信器チェーンの両方が同じ周波数に同調することを意味する。第１及び第２の受信器チェーンは、一次受信器チェーン（ＰＲＸ）及びダイバーシティ受信器チェーン（ＤＲＸ）と称される。
【００２７】
一実施形態において、ＰＲＸ及びＤＲＸ受信チェーンは、対として動作し、ＬＴＥのような２つ以上のＲＡＴ及びＧＳＭ又はＣＤＭＡ１ｘのような１つ以上の他のＲＡＴの間を時間多重化する。ここに述べる一次の実施形態では、ＵＥ１０６は、１つの送信器チェーン及び２つの受信器チェーン（ＰＲＸ及びＤＲＸ）を備え、その送信器チェーン及び２つの受信器チェーン（対として働く）は、ＬＴＥ及びＧＳＭのような２つ（以上）のＲＡＴ間を時間多重化する。
【００２８】
各アンテナは、例えば、６００ＭＨｚから３ＧＨｚまでといった広範囲な周波数を受信する。従って、例えば、ＰＲＸ及びＤＲＸ受信器チェーンの局部発振器は、ＬＴＥ周波数帯域のような特定の周波数に同調し、ＰＲＸ受信器チェーンは、アンテナ１からサンプルを受信し、そしてＤＲＸ受信器チェーンは、アンテナ２からサンプルを受信し、両方とも同じ周波数である（同じ局部発振器を使用しているために）。ＵＥ１０６のワイヤレス回路は、ＵＥ１０６の希望の動作モードに基づいてリアルタイムで構成される。ここに述べる規範的な実施形態では、ＵＥ１０６は、ＬＴＥ及びＧＳＭ無線アクセス技術をサポートするように構成される。
【００２９】
図２：通信システム
図２は、規範的な（及び簡単化された）ワイヤレス通信システムを示している。図２のシステムは、考えられるシステムの一例に過ぎず、実施形態は、必要に応じて、種々のシステムのいずれでも実施できることに注意されたい。
【００３０】
図示されたように、規範的なワイヤレス通信システムは、ＵＥ１０６として表わされた１つ以上のユーザ装置（ＵＥ）と送信媒体を経て通信するベースステーション１０２Ａ及び１０２Ｂを備えている。ベースステーション１０２は、ベーストランシーバステーション（ＢＴＳ）又はセルサイトであり、ＵＥ１０６とのワイヤレス通信を可能にするハードウェアを備えている。又、各ベースステーション１０２は、コアネットワーク１００とも通信するように装備される。例えば、ベースステーション１０２Ａは、コアネットワーク１００Ａに結合され、一方、ベースステーション１０２Ｂは、コアネットワーク１００Ｂに結合される。各コアネットワークが各セルラーサービスプロバイダーにより動作されてもよいし、又は複数のコアネットワーク１００Ａが同じセルラーサービスプロバイダーにより動作されてもよい。又、各コアネットワーク１００は、インターネット、公衆交換電話ネットワーク（ＰＳＴＮ）、及び／又は他のネットワークを含む１つ以上の外部ネットワーク（例えば、外部ネットワーク１０８）にも結合される。従って、ベースステーション１０２は、ＵＥ装置１０６間、及びＵＥ装置１０６とネットワーク１００Ａ、１００Ｂ及び１０８との間の通信を容易にする。
【００３１】
ベースステーション１０２及びＵＥ１０６は、ＧＳＭ、ＵＭＴＳ（ＷＣＤＭＡ（登録商標））、ＬＴＥ、ＬＴＥアドバンスト（ＬＴＥ−Ａ）、３ＧＰＰ２  ＣＤＭＡ２０００（例えば、１ｘＲＴＴ、１ｘＥＶ−ＤＯ、ＨＰＰＤ、ｅＨＲＰＤ）、ＩＥＥＥ８０２．１１（ＷＬＡＮ又はＷｉ−Ｆｉ）、ＩＥＥＥ８０２．１６（ＷｉＭＡＸ）、等の種々の無線アクセス技術（「ＲＡＴ」、ワイヤレス通信技術又はテレコミュニケーション規格とも称される）のいずれかを使用して送信媒体を経て通信するように構成される。
【００３２】
ベースステーション１０２Ａ及びコアネットワーク１００Ａは、第１のＲＡＴ（例えば、ＬＴＥ）に基づいて動作し、一方、ベースステーション１０２Ｂ及びコアネットワーク１００Ｂは、第２の（例えば、異なる）ＲＡＴ（例えば、ＧＳＭ、ＣＤＭＡ２０００又は他のレガシー又は回路交換技術）に基づいて動作する。２つのネットワークは、同じネットワークオペレータ（例えば、セルラーサービスプロバイダー又は「キャリア」）によりコントロールされるか、又は必要に応じて、異なるネットワークオペレータによりコントロールされる。更に、２つのネットワークは、互いに独立して動作されてもよいし（例えば、異なるＲＡＴに基づいて動作する場合）、或いは多少結合されて又は密接に結合されて動作されてもよい。
【００３３】
又、２つの異なるネットワークは、図２に示す規範的なネットワーク構成で示されたように、２つの異なるＲＡＴをサポートするのに使用されるが、複数のＲＡＴを具現化する他のネットワーク構成も考えられることに注意されたい。一例として、ベースステーション１０２Ａ及び１０２Ｂは、異なるＲＡＴに基づいて動作するが、同じネットワークに結合されてもよい。別の例として、異なるＲＡＴ（例えば、ＬＴＥ及びＧＳＭ、ＬＴＥ及びＣＤＭＡ２０００  １ｘＲＴＴ、及び／又はＲＡＴの他の組み合わせ）を同時にサポートできるマルチモードベースステーションは、異なるセルラー通信技術をサポートするコアネットワークに結合されてもよい。一実施形態において、ＵＥ１０６は、パケット交換技術である第１のＲＡＴ（例えば、ＬＴＥ）と、回路交換技術である第２のＲＡＴ（例えば、ＧＳＭ又は１ｘＲＴＴ）とを使用するように構成される。
【００３４】
上述したように、ＵＥ１０６は、３ＧＰＰ、３ＧＰＰ２、又は希望のセルラー規格内のもののような複数のＲＡＴを使用して通信することができる。又、ＵＥ１０６は、ＷＬＡＮ、Ｂｌｕｅｔｏｏｔｈ（登録商標）、１つ以上のグローバルナビゲーション衛星システム（ＧＮＳＳ、例えば、ＧＰＳ又はＧＬＯＮＡＳＳ）、１つ及び／又はそれ以上の移動テレビジョン放送規格（例えば、ＡＴＳＣ−Ｍ／Ｈ又はＤＶＢ−Ｈ）、等を使用して通信するように構成されてもよい。ネットワーク通信規格の他の組み合わせも考えられる。
【００３５】
従って、同じ又は異なるＲＡＴ或いはセルラー通信規格により動作するベースステーション１０２Ａ及び１０２Ｂ並びに他のベースステーションは、１つ以上の無線アクセス技術（ＲＡＴ）を経て広い地域にわたりＵＥ１０６及び同様の装置に連続的又はほぼ連続的な重畳するサービスを提供するセルのネットワークとして設けられる。
【００３６】
図３：ベースステーション
図３は、ベースステーション１０２の規範的なブロック図である。図３のベースステーションは、考えられるベースステーションの一例に過ぎないことに注意されたい。図示されたように、ベースステーション１０２は、ベースステーション１０２のためのプログラムインストラクションを実行するプロセッサ５０４を備えている。プロセッサ５０４は、メモリマネージメントユニット（ＭＭＵ）５４０にも結合され、これは、プロセッサ５０４からアドレスを受け取り、そしてそのアドレスをメモリ（例えば、メモリ５６０及びリードオンリメモリ（ＲＯＭ）５５０）内の位置或いは他の回路又は装置に変換するように構成される。
【００３７】
ベースステーション１０２は、少なくとも１つのネットワークポート５７０を備えている。このネットワークポート５７０は、電話ネットワークに結合されて、ＵＥ装置１０６のような複数の装置に、前記電話ネットワークへのアクセスを与えるように構成される。
【００３８】
ネットワークポート５７０（又は付加的なネットワークポート）は、セルラーネットワーク、例えば、セルラーサービスプロバイダーのコアネットワークに結合されてもよいし或いはそのように構成されてもよい。コアネットワークは、ＵＥ装置１０６のような複数の装置に移動関連サービス及び／又は他のサービスを提供することができる。あるケースでは、ネットワークポート５７０がコアネットワークを経て電話ネットワークに結合されてもよいし、及び／又はコアネットワークが電話ネットワークをなしてもよい（例えば、セルラーサービスプロバイダーによりサービスされる他のＵＥ装置１０６の中で）。
【００３９】
ベースステーション１０２は、少なくとも１つのアンテナ５３４を備えている。この少なくとも１つのアンテナ５３４は、ワイヤレストランシーバーとして動作するように構成され、そして無線５３０を経てＵＥ装置１０６と通信するように更に構成される。アンテナ５３４は、通信チェーン５３２を経て無線５３０と通信する。通信チェーン５３２は、受信チェーン、送信チェーン又はその両方である。無線５３０は、これに限定されないが、ＬＴＥ、ＧＳＭ、ＷＣＤＭＡ，ＣＤＭＡ２０００、等を含む種々のＲＡＴを経て通信するように構成される。
【００４０】
ベースステーション１０２のプロセッサ５０４は、例えば、メモリ媒体（例えば、非一時的コンピュータ読み取り可能なメモリ媒体）に記憶されたプログラムインストラクションを実行することにより、ここに述べる方法の一部分又は全部を具現化するように構成される。或いは又、プロセッサ５０４は、ＦＰＧＡ（フィールドプログラマブルゲートアレイ）のようなプログラム可能なハードウェア要素として、又はＡＳＩＣ（特定用途向け集積回路）として、或いはその組み合わせとして、構成されてもよい。
【００４１】
図４：ユーザ装置（ＵＥ）
図４は、ＵＥ装置１０６の簡単なブロック図である。図示されたように、ＵＥ装置１０６は、種々の目的のための部分を含むシステムオンチップ（ＳＯＣ）４００を備えている。ＳＯＣ４００は、ＵＥ１０６の種々の他の回路に結合される。例えば、ＵＥ１０６は、種々のタイプのメモリ（例えば、ＮＡＮＤフラッシュ４１０を含む）、コネクタインターフェイス４２０（例えば、コンピュータシステム、ドック、充電ステーション、等に結合するための）、ディスプレイ４６０、ＬＴＥ、ＧＳＭ、等のためのセルラー通信回路４３０、及びショートレンジワイヤレス通信回路４２９（例えば、Ｂｌｕｅｔｏｏｔｈ及びＷＬＡＮ回路）を備えている。ＵＥ１０６は、更に、１つ以上のＵＩＣＣ（ユニバーサル集積回路カード）カード３１０のようなＳＩＭ（加入者アイデンティティモジュール）機能を含む１つ以上のスマートカード３１０も備えている。セルラー通信回路４３０は、１つ以上のアンテナ、好ましくは図示された２つのアンテナ４３５及び４３６に結合される。ショートレンジワイヤレス通信回路４２９は、アンテナ４３５及び４３６の一方又は両方にも結合される（この接続は、図示を容易にするために示されていない）。
【００４２】
図示されたように、ＳＯＣ４００は、ＵＥ１０６のためのプログラムインストラクションを実行するプロセッサ４０２と、グラフィック処理を行って表示信号をディスプレイ４６０に与えるディスプレイ回路４０４とを備えている。又、プロセッサ４０２は、メモリマネージメントユニット（ＭＭＵ）４４０にも結合され、これは、プロセッサ４０２からアドレスを受け取り、そしてそのアドレスをメモリ（例えば、メモリ４０６、リードオンリメモリ（ＲＯＭ）４５０、ＮＡＮＤフラッシュメモリ４１０）内の位置、及び／又は他の回路又は装置、例えば、ディスプレイ回路４０４、セルラー通信回路４３０、ショートレンジワイヤレス通信回路４２９、コネクタＩＦ４２０、及び／又はディスプレイ４６０に変換する。ＭＭＵ４４０は、メモリ保護及びページテーブル変換又はセットアップを遂行するように構成される。ある実施形態では、ＭＭＵ４４０は、プロセッサ４０２の一部分として含まれる。
【００４３】
１つの実施形態において、上述したように、ＵＥ１０６は、１つ以上の加入者アイデンティティモジュール（ＳＩＭ）アプリケーションを実行し及び／又はさもなければＳＩＭ機能を具現化するＵＩＣＣ３１０のような少なくとも１つのスマートカード３１０を備えている。少なくとも１つのスマートカード３１０は、単一のスマートカード３１０に過ぎず、又はＵＥ１０６は、２つ以上のスマートカード３１０を備えている。各スマートカード３１０は、ＵＥ１０６に埋め込まれ、例えば、ＵＥ１０６の回路板に半田付けされてもよく、或いは各スマートカード３１０は、除去可能なスマートカードとして具現化されてもよい。従って、スマートカード３１０は、１つ以上の除去可能なスマートカード（例えば、「ＳＩＭ」カードとも称されるＵＩＣＣカード）でもよいし、及び／又はスマートカード３１０は、１つ以上の埋設カード（例えば、「ｅＳＩＭ」又は「ｅＳＩＭカード」とも称される埋設型ＵＩＣＣ（ｅＵＩＣＣ））でもよい。ある実施形態では（例えば、スマートカード３１０がｅＵＩＣＣを含むときには）、スマートカード３１０の１つ以上が、埋設型ＳＩＭ（ｅＳＩＭ）機能を具現化し、そのような実施形態では、スマートカード３１０の１つが複数のＳＩＭアプリケーションを実行する。スマートカード３１０は、各々、プロセッサ及びメモリのようなコンポーネントを含み、ＳＩＭ／ｅＳＩＭ機能を遂行するためのインストラクションは、メモリに記憶されて、プロセッサにより実行される。１つの実施形態では、ＵＥ１０６は、必要に応じて、除去可能なスマートカード及び固定／除去不能なスマートカード（例えば、ｅＳＩＭ機能を具現化する１つ以上のｅＵＩＣＣ）を組み合わせて備えてもよい。例えば、ＵＥ１０６は、２つの埋設型カード３１０、２つの除去可能なスマートカード３１０、又は１つの埋設型スマートカード３１０及び１つの除去可能なスマートカード３１０の組み合わせを備えてもよい。他の種々のＳＩＭ構成も意図される。
【００４４】
上述したように、１つの実施形態では、ＵＥ１０６は、ＳＩＭ機能を各々具現化する２つ以上のスマートカード３１０を備えている。ＵＥ１０６に２つ以上のＳＩＭスマートカード３１０を含ませることで、ＵＥ１０６は、２つの異なる電話番号をサポートできると共に、ＵＥ１０６は、対応する２つ以上の各ネットワークにおいて通信することができる。例えば、第１のスマートカード３１０は、ＬＴＥのような第１のＲＡＴをサポートするＳＩＭ機能を含み、そして第２のスマートカード３１０は、ＧＳＭのような第２のＲＡＴをサポートするＳＩＭ機能を含む。もちろん、他の具現化及びＲＡＴも考えられる。ＵＥ１０６が２つのスマートカード３１０を含む場合には、ＵＥ１０６は、デュアルＳＩＭデュアルアクティブ（ＤＳＤＡ）機能をサポートすることができる。ＤＳＤＡ機能は、ＵＥ１０６を２つのネットワークに同時に接続できるようにする（及び２つの異なるＲＡＴを使用できるようにする）。又、ＤＳＤＡ機能は、ＵＥ１０６が各電話番号においてボイスコール又はデータトラフィックを同時に受信するのを許す。別の実施形態では、ＵＥ１０６は、デュアルＳＩＭデュアルスタンバイ（ＤＳＤＳ）機能をサポートする。このＤＳＤＳ機能は、ＵＥ１０６の２つのスマートカード３１０の各々が、ボイスコール及び／又はデータ接続を待機してスタンバイするのを許す。ＤＳＤＳでは、一方のＳＩＭ３１０にコール／データが確立されるときに、他方のＳＩＭは、もはやアクティブではない。１つの実施形態では、異なるキャリア及び／又はＲＡＴに対して複数のＳＩＭアプリケーションを実行する単一のスマートカード（例えば、ｅＵＩＣＣ）でＤＳＤｘ（ＤＳＤＡ又はＤＳＤＳのいずれかの機能）が具現化される。
【００４５】
上述したように、ＵＥ１０６は、複数の無線アクセス技術（ＲＡＴ）を使用してワイヤレス通信するように構成される。前記で更に述べたように、そのような場合には、セルラー通信回路（無線）４３０は、単一のＲＡＴに従って使用するように排他的に構成された複数のＲＡＴ及び／又は無線コンポーネント間で共有される無線コンポーネントを含む。ＵＥ１０６が少なくとも２つのアンテナを含む場合には、アンテナ４３５及び４３６は、ＭＩＭＯ（複数入力複数出力）通信を具現化するように構成可能である。
【００４６】
ここに述べるように、ＵＥ１０６は、ここに述べるような２つ以上のＲＡＴを使用して通信する特徴を具現化するためのハードウェア及びソフトウェアコンポーネントを含む。ＵＥ装置１０６のプロセッサ４０２は、例えば、メモリ媒体（例えば、非一時的コンピュータ読み取り可能なメモリ媒体）に記憶されたプログラムインストラクションを実行することにより、ここに述べる特徴の一部分又は全部を具現化するように構成される。それとは別に（又はそれに加えて）、プロセッサ４０２は、ＦＰＧＡ（フィールドプログラマブルゲートアレイ）又はＡＳＩＣ（特定用途向け集積回路）のようなプログラム可能なハードウェア要素として構成される。それとは別に（又はそれに加えて）、ＵＥ装置１０６のプロセッサ４０２は、他のコンポーネント４００、４０４、４０６、４１０、４２０、４３０、４３５、４４０、４５０、４６０の１つ以上に関連して、ここに述べる特徴の一部分又は全部を具現化するように構成される。
【００４７】
図５Ａ及び５Ｂ：ＵＥ送信／受信ロジック
図５Ａは、一実施形態によるＵＥ１０６の一部分を示す。図示されたように、ＵＥ１０６は、ＵＥ１０６のコントロールアルゴリズムを具現化するためのコントロールコードを記憶して実行するように構成されたコントロール回路４２を備えている。該コントロール回路４２は、ストレージ及び処理回路２８（例えば、マイクロプロセッサ、メモリ回路、等）を備えると共に、ベースバンドプロセッサ集積回路５８を備えている。ベースバンドプロセッサ５８は、ワイヤレス回路３４の一部分を形成し、そしてメモリ及び処理回路を含む（即ち、ベースバンドプロセッサ５８は、ＵＥ１０６のストレージ及び処理回路の一部分を形成すると考えられる）。ベースバンドプロセッサ５８は、とりわけ、ＧＳＭロジック７２及びＬＴＥロジック７４のような種々の異なるＲＡＴを取り扱うためのソフトウェア及び／又はロジックを備えている。
【００４８】
ベースバンドプロセッサ５８は、経路４８を経てストレージ及び処理回路２８（例えば、マイクロプロセッサ、不揮発性メモリ、揮発性メモリ、他のコントロール回路、等）へデータを供給する。経路４８上のデータは、ＵＥのセルラー通信及び動作に関連したローデータ及び処理済データ、例えば、セルラー通信データ、受信信号に対するワイヤレス（アンテナ）性能メトリック、チューンアウェイ動作に関連した情報、ページング動作に関連した情報、等を含む。この情報は、ストレージ及び処理回路２８及び／又はプロセッサ５８により分析され、そしてそれに応答して、ストレージ及び処理回路２８（又は、必要に応じて、ベースバンドプロセッサ５８）は、ワイヤレス回路３４をコントロールするためのコントロールコマンドを発行する。例えば、ストレージ及び処理回路２８は、経路５２及び経路５０にコントロールコマンドを発行し、及び／又はベースバンドプロセッサ５８は、経路４６及び経路５１にコマンドを発行する。
【００４９】
ワイヤレス回路３４は、高周波トランシーバ回路６０のような高周波トランシーバ回路と、高周波フロントエンド回路６２とを含む。高周波トランシーバ回路６０は、１つ以上の高周波トランシーバを備えている。ここに示す実施形態では、高周波トランシーバ回路６０は、トランシーバ（ＴＸ）チェーン５９、受信器（ＲＸ）チェーン６１及びＲＸチェーン６３を含む。上述したように、２つのＲＸチェーン６１及び６３は、一次ＲＸチェーン６１、及びダイバーシティＲＸチェーン６３である。２つのＲＸチェーン６１及び６３は、同じ局部発振器（ＬＯ）に接続され、従って、ＭＩＭＯ動作のために同じ周波数で一緒に動作する。従って、ＴＸチェーン５９と、２つのＲＸチェーン６１及び６３は、他の必要な回路と共に、単一無線と考えられる。他の実施形態も、もちろん、意図される。例えば、高周波トランシーバ回路６０が単一のＴＸチェーン及び単一のＲＸチェーンしか含まず、これも、単一無線実施形態である。従って、「無線(radio)」という用語は、その通常の受け容れられる意味の最も広い範囲を有すると定義され、そして単一ＴＸチェーン及び単一ＲＸチェーンか、或いは単一ＴＸチェーン及び例えば同じＬＯに接続された２つ（以上）のＲＸチェーンかのいずれかを含む、無線に通常見られる回路を備えるものである。無線という用語は、上述した送信及び受信チェーンを包含するもので、ワイヤレス通信の実行に関連した高周波回路（例えば、送信及び受信チェーン）に結合されたデジタル信号処理も含む。一例として、送信チェーンは、増幅器、ミクサ、フィルタ、及びデジタル／アナログコンバータのようなコンポーネントを含む。同様に、受信チェーンも、例えば、増幅器、ミクサ、フィルタ、及びアナログ／デジタルコンバータのようなコンポーネントを含む。上述したように、複数の受信チェーンがＬＯを共有するが、他の実施形態では、それらが自身のＬＯを備えてもよい。ワイヤレス通信回路は、例えば、ＵＥ（送信／受信チェーン及び／又はデジタル信号処理）、ベースバンドプロセッサ、等の１つ以上の無線を含めて、コンポーネントの大きなセットを包含する。「セルラーワイヤレス通信回路」という用語は、例えば、Ｂｌｕｅｔｏｏｔｈのような、セルラーの性質ではない他のプロトコルとは反対に、セルラー通信を遂行するための種々の回路を含む。ここに述べる本発明のある実施形態は、単一無線（即ち、単一ＴＸチェーン及び単一ＲＸチェーンをもつ無線；或いは単一ＴＸチェーン及び２つのＲＸチェーンをもち、２つのＲＸチェーンが同じＬＯに接続された無線）が複数のＲＡＴをサポートするときに性能を改善するように動作する。
【００５０】
図５Ｂに示すように、高周波トランシーバ回路６０は、２つ以上のＴＸチェーン及び２つ以上のＲＸチェーンを含む。例えば、図５Ｂは、ＴＸチェーン５９及びＲＸチェーン６１を含む第１無線５７と、第１のＴＸチェーン６５及び第２のＴＸチェーン６７を含む第１無線６３とを伴う実施形態を示す。又、図５Ａの実施形態に、図示された１つのＴＸチェーン５９及び２つのＲＸチェーン６１及び６３に加えて、付加的なＴＸ／ＲＸ受信チェーンが含まれた実施形態も意図される。複数のＴＸ及びＲＸチェーンを有するこれらの実施形態では、１つの無線しか現在アクティブでないとき、例えば、第２無線が節電のためにターンオフされたとき、ここに述べる本発明の幾つかの実施形態は、複数のＲＡＴをサポートするとき単一のアクティブな無線の性能を改善するように動作することができる。
【００５１】
ベースバンドプロセッサ５８は、ストレージ及び処理回路２８から送信されるべきデジタルデータを受け取り、そして経路４６及び高周波トランシーバ回路６０を使用して、それに対応する高周波信号を送信する。高周波フロントエンド６２は、高周波トランシーバ６０とアンテナ４０との間に結合され、そして高周波トランシーバ回路６０により発生された高周波信号をアンテナ４０へ搬送するのに使用される。高周波フロントエンド６２は、アンテナ４０と高周波トランシーバ６０との間のインターフェイスを形成する高周波スイッチ、インピーダンスマッチング回路、フィルタ、及び他の回路を含む。
【００５２】
アンテナ４０によって受信された到来する高周波信号は、高周波フロントエンド６２、経路５４及び５６のような経路、高周波トランシーバ６０の受信回路、及び経路４６のような経路を経て、ベースバンドプロセッサ５８へ供給される。経路５４は、例えば、トランシーバ５７に関連した信号を取り扱うのに使用され、一方、経路５６は、トランシーバ６３に関連した信号を取り扱うのに使用される。ベースバンドプロセッサ５８は、受信信号をデジタルデータに変換し、そのデジタルデータは、ストレージ及び処理回路２８へ送られる。又、ベースバンドプロセッサ５８は、トランシーバが現在チューニングされているチャンネルに対する信号の質を表わす情報を受信信号から抽出することもできる。例えば、コントロール回路４２内のベースバンドプロセッサ５８及び／又は他の回路は、受信信号を分析して、種々の測定値、例えば、ビットエラー率測定値、到来するワイヤレス信号に関連した電力量の測定値、強度指示子（ＲＳＳＩ）情報、受信信号コード電力（ＲＳＣＰ）情報、基準信号受信電力（ＲＳＲＰ）情報、信号対干渉比（ＳＩＮＲ）情報、信号対雑音比（ＳＮＲ）情報、Ｅｃ／Ｉｏ又はＥｃ／Ｎｏデータのような信号クオリティデータに基づくチャンネルクオリティ測定値、等を発生する。
【００５３】
高周波フロントエンド６２は、スイッチング回路を含む。そのスイッチング回路は、コントロール回路４２から受け取られるコントロール信号（例えば、ストレージ及び処理回路２８から経路５０を経て送られるコントロール信号、及び／又はベースバンドプロセッサ５８から経路５１を経て送られるコントロール信号）により構成される。スイッチング回路は、ＴＸ及びＲＸチェーンをアンテナ４０Ａ及び４０Ｂに接続するのに使用されるスイッチ（スイッチ回路）を含む。高周波トランシーバ回路６０は、ストレージ及び処理回路から経路５２を経て受信されるコントロール信号、及び／又はベースバンドプロセッサ５８から経路４６を経て受信されるコントロール信号により構成される。
【００５４】
使用するアンテナの数は、ＵＥ１０６の動作モードに依存する。例えば、図５Ａに示すように、通常のＬＴＥ動作では、アンテナ４０Ａ及び４０Ｂは、例えば、ＭＩＭＯ動作に対して受信ダイバーシティスキームを具現化するために各受信器６１及び６３と共に使用される。このタイプの構成では、ベースバンドプロセッサ５８を使用して２つのＬＴＥデータストリームが同時に受信され処理される。到来するＧＳＭページに対してＧＳＭページングチャンネルを監視することが望まれるときは、ＧＳＭページングチャンネル信号を受信するのにアンテナの一方又は両方が一時的に使用される。
【００５５】
コントロール回路４２は、２つ以上の無線アクセス技術を取り扱うためのソフトウェアを実行するのに使用される。例えば、ベースバンドプロセッサ５８は、ＧＳＭプロトコルスタック７２及びＬＴＥプロトコルスタック７４のような複数のプロトコルスタックを具現化するためのメモリ及びコントロール回路を備えている。従って、プロトコルスタック７２は、ＧＳＭ（一例として）のような第１の無線アクセス技術に関連され、そしてプロトコルスタック７４は、ＬＴＥ（一例として）のような第２の無線アクセス技術に関連している。動作中に、ＵＥ１０６は、ＧＳＭプロトコルスタック７２を使用して、ＧＳＭ機能を取り扱い、そしてＬＴＥプロトコルスタック７４を使用して、ＬＴＥ機能を取り扱う。ＵＥ１０６には、必要に応じて、付加的なプロトコルスタック、付加的なトランシーバ、付加的なアンテナ４０、及び他の付加的なハードウェア及び／又はソフトウェアが使用されてもよい。図５Ａ及び５Ｂの構成は、単なる例示に過ぎない。一実施形態において、プロトコルスタックの一方又は両方を使用して、以下のフローチャートに述べる方法が具現化される。
【００５６】
図５Ａ（又は５Ｂ）の一実施形態では、ＵＥ１０６のコスト及び複雑さは、ＬＴＥ及びＧＳＭの両トラフィックをサポートするためにベースバンドプロセッサ５８及び高周波トランシーバ回路６０が使用される構成を使用して図５Ａ（又は５Ｂ）のワイヤレス回路を具現化することにより最小とされる。
【００５７】
ＧＳＭ無線アクセス技術は、一般的に、ボイストラフィックを搬送するのに使用され、一方、ＬＴＥ無線アクセス技術は、一般的に、データトラフィックを搬送するのに使用される。ＬＴＥデータトラフィックのためにＧＳＭボイスコールが中断されないことを保証するため、ＧＳＭ動作は、ＬＴＥ動作に勝るプライオリティをとる。到来するページング信号のためのＧＳＭページングチャンネルを監視する等の動作が、ＬＴＥ動作を不必要に中断しないよう保証するため、コントロール回路４２は、可能なとき、ワイヤレスリソースがＬＴＥとＧＳＭ機能との間で共有されるようにＵＥ１０６のワイヤレス回路を構成することができる。
【００５８】
ユーザが到来するＧＳＭコールを受けるときに、ＧＳＭネットワークは、ベースステーション１０２を使用してＧＳＭページングチャンネルを経てページング信号（ページとも称される）をＵＥ１０６へ送信する。ＵＥ１０６は、到来するページを検出すると、その到来するＧＳＭコールをセットアップし及び受信するために適当なアクション（例えば、コール確立手順）をとることができる。ページは、典型的に、ネットワークにより一定の間隔で数回送信され、ＵＥ１０６のような装置がページを首尾良く受信する数回の機会をもてるようにする。
【００５９】
適切なＧＳＭページ受信は、ＵＥ１０６のワイヤレス回路がＧＳＭページングチャンネルに周期的にチューニングされることを要求し、これは、チューンアウェイ動作と称される。トランシーバ回路６０がＧＳＭページングチャンネルにチューニングし損なうか、又はベースバンドプロセッサ５８のＧＳＭプロトコルスタック７２が到来するページに対してページングチャンネルを監視し損なう場合には、ＧＳＭページを見失う。他方、ＧＳＭページングチャンネルの過剰な監視は、アクティブなＬＴＥデータセッションに悪影響を及ぼす。本発明の実施形態は、以下に述べるように、チューンアウェイ動作を取り扱うための改善された方法を含む。
【００６０】
ある実施形態では、ＵＥ１０６が節電を行うために、ＧＳＭ及びＬＴＥプロトコルスタック７２及び７４がアイドルモード動作をサポートする。又、プロトコルスタック７２及び７４の一方又は両方は、不連続受信（ＤＲＸ）モード及び／又は接続不連続受信（ＣＤＲＸ）モードをサポートする。ＤＲＸモードは、受信すべきデータ（又はボイス）がないときＵＥ回路の少なくとも一部分をパワーダウンするモードを指す。ＤＲＸ及びＣＲＤＸモードでは、ＵＥ１０６は、ベースステーション１０２と同期し、そして指定の時間又は間隔でネットワークを聴取するようにウェイクアップする。ＤＲＸは、ＵＭＴＳ、ＬＴＥ（ロング・ターム・エボリューション）、ＷｉＭＡＸ、等の多数のワイヤレス規格に存在する。「アイドルモード」、「ＤＲＸ」及び「ＣＤＲＸ」という用語は、少なくとも、通常の意味を完全に含むことが明確に意図され、そして同様のタイプのモードを将来の規格で包含することも意図される。
【００６１】
現在チャンネル状態に基づく選択的測定及び／又は同期
上述したように、ＵＥは、単一無線を使用し、２つの異なるＲＡＴを使用して通信することができる。例えば、ＵＥは、単一無線を使用し、第１のＲＡＴを使用して通信し、そして周期的にチューンアウェイして、第２のＲＡＴに対する種々のアクション、例えば、ページデコーディングを遂行することができる。この例では、ＵＥは、一度に１つのＲＡＴを使用して通信するだけであっても、同じ無線を使用して両ＲＡＴへの接続を維持すると考えられる。一実施形態において、第１のＲＡＴは、ＬＴＥであり、そして第２のＲＡＴは、ＧＳＭであるが、ＲＡＴの他の組み合わせも考えられる。あるケースでは、典型的に、チューンアウェイを周期的に（例えば、ＤＲＸサイクルごとに）行って、第２のＲＡＴに対するページデコーディングを遂行する。更に、ページデコーディングを行うためにチューンアウェイする間に、ＵＥは、第２のＲＡＴに対する隣接セル測定及び／又は同期を行うこともできる。
【００６２】
しかしながら、ページデコーディングは、比較的短い時間（例えば、数ミリ秒）で遂行されるが、隣接セル測定及び／又は同期は、実質的に長い時間（例えば、５０−１００ミリ秒）を要する。その結果、ＵＥがページデコーディング、隣接セル測定、及び各チューンアウェイにおける第２のＲＡＴへの同期を遂行する場合に、第１のＲＡＴの性能が著しく影響を受ける。例えば、ＵＥが著しい期間中（例えば、４０又は５０ミリ秒以上）第１のＲＡＴからチューンアウェイする場合には、第１のＲＡＴは、ＵＥが深いフェージングシナリオを経験すると考える。というのは、ＵＥは、この著しい期間中は第１のＲＡＴで通信しないからである。その結果、第１のＲＡＴは、第１のＲＡＴに対してＵＥに指定される変調及びコード化又はリソースブロックを減少し、これは、ＵＥが第１のＲＡＴを使用するとき、例えば、第１のＲＡＴへチューニングバックした後に、ＵＥのスループットを下げ、これは、望ましからぬことである。
【００６３】
従って、第２のＲＡＴに対し、例えば、第２のＲＡＴの各ＤＲＸサイクルに、セル測定及び／又は同期を一貫して遂行するのではなく、ＵＥは、例えば、第２のＲＡＴの現在状態に基づいて、セル測定及び／又は同期を選択的に遂行する。例えば、第２のＲＡＴにおける現在選択されたベースステーションの現在チャンネル状態が充分である（例えば、第２のＲＡＴにおける現在ベースステーションの受信信号強度指示（ＲＳＳＩ）が、例えば、−８０ｄＢｍのスレッシュホールドを越える）場合には、ＵＥは、測定及び／又は同期を遂行せず、単にページデコーディングを遂行するだけである。例えば、チャンネル状態がスレッシュホールドを越える間に、ＵＥは、各サイクルに（例えば、各ＤＲＸサイクルに）ページデコーディングを遂行するだけであり、セル測定又は同期を遂行するのではない。それとは別に又はそれに加えて、ＵＥは、ページデコーディング及び測定を遂行し、同期は遂行しない（例えば、同期が、チューンアウェイが３０−５０ミリ秒を越えるようにさせる活動である場合）。更に別の実施形態では、ＵＥは、ページデコーディング及び同期を遂行するが、測定は行わない（例えば、測定が、チューンアウェイが３０−５０ミリ秒を越えるようにさせる活動である場合）。しかしながら、第２のＲＡＴの現在ベースステーションの現在チャンネル状態がスレッシュホールドを越えない場合には、ＵＥは、例えば、第２のＲＡＴに対して充分な性能を保証するため、ページデコーディング並びに隣接測定及び／又は同期を遂行するように構成される。
【００６４】
第２のＲＡＴに対して隣接ベースステーション測定及び／又は同期を遂行すべきかどうか動的に決定することにより、第１のＲＡＴのスループットが改善される。例えば、このプロセスは、チューンアウェイを、３０ミリ秒を越えるものが２０％から、３０ミリ秒を越えるものが２％のみ、へと減少し、これは、第１のＲＡＴに対するスループット利得を２０％とする。更に、このプロセスは、隣接ベースステーション測定及び／又は同期の必要数を減少することでバッテリの節電となる。
【００６５】
図６：測定及び／又は同期の選択的遂行
図６は、第１のＲＡＴ及び第２のＲＡＴ（例えば、ＬＴＥ及びＧＳＭであるが、ＲＡＴの他の組み合わせも考えられる）の両方に対して第１無線を使用するＵＥ装置（例えば、ＵＥ１０６）によって隣接ベースステーションの測定及び／又は同期を選択的に遂行する方法を示すフローチャートである。図６に示す方法は、他の装置の中でも、添付図面に示すシステム又は装置のいずれかに関連して使用されるものである。種々の実施形態において、図示された方法の幾つかの要素は、同時に遂行されてもよいし、図示されたものとは異なる順序で遂行されてもよいし、又は省略されてもよい。必要に応じて、付加的な方法要素も遂行できることに注意されたい。この方法は、次のように遂行される。
【００６６】
６０２に示すように、ＵＥは、第１のＲＡＴを使用する第１無線を使用して通信する。一実施形態において、第１のＲＡＴは、ＬＴＥであるが、他のＲＡＴも考えられる。
【００６７】
６０４において、ＵＥは、第２のＲＡＴの現在ベースステーションの現在チャンネル状態をスレッシュホールドと比較する。現在チャンネル状態は、例えば、チャンネル状態の最も近い以前の測定値からの記憶されたチャンネル状態であってもよいし、或いは現在チャンネル状態は、例えば、各サイクル（例えば、各ＤＲＸサイクル）中に又はその前に、現在チャンネル状態をスレッシュホールドと比較するために測定されてもよい。ある実施形態では、現在チャンネル状態は、ＲＳＳＩであるが、ＲＳＣＰ、ＲＳＲＰ、ＳＩＮＲ、ＳＮＲ、及び／又は他の可能性のような、チャンネル状態の他の測定値（又はその組み合わせ）も考えられる。スレッシュホールドは、第２のＲＡＴに対する隣接ベースステーション測定及び／又は同期を遂行すべきかどうか決定することに対して特定のものである。或いは又、スレッシュホールドは、必要に応じて、隣接ベースステーション測定及び／又は同期を遂行すべきかどうか決定するためにＵＥが使用する一般的なスレッシュホールドでもよい。
【００６８】
６０６において、第２のＲＡＴの現在チャンネル状態が、スレッシュホールドを越える場合には、ＵＥは、第１無線を使用し、第２のＲＡＴを使用するページデコーディングを遂行する。換言すれば、ＵＥは、第１のＲＡＴから第２のＲＡＴへ第１無線をチューンアウェイして、第２のＲＡＴにおいてページデコーディングを遂行する。しかしながら、第２のＲＡＴの現在チャンネル状態がスレッシュホールドを越えるので、ＵＥは、６０６において隣接ベースステーション測定及び／又は同期を行わない。例えば、ＵＥは、ページデコーディングのみを遂行し、隣接ベースステーション測定又は隣接ベースステーション同期を遂行しない。或いは又、例えば、測定がチューンアウェイ時間を著しい時間（例えば、３０−５０ミリ秒以上）へ増加しない場合には、ＵＥは、ページデコーディング及び測定を遂行するが、同期は遂行しない。更に、例えば、同期がチューンアウェイ時間を著しい時間へと増加しない場合には、ＵＥは、ページデコーディング及び同期を遂行するが、測定は遂行しない。１つの実施形態では、６０６でのページデコーディングの遂行が、現在ＤＲＸサイクルで遂行される。更に、測定及び／又は同期は、ページデコーディング時又はその付近で行われるとして述べたが、必要に応じて、他の時間に、スレッシュホールドに基づいて遂行されてもよい。
【００６９】
６０８において、第２のＲＡＴの現在チャンネル状態がスレッシュホールドを越えない場合には、ＵＥは、第１無線を使用して、ページデコーディングを遂行すると共に、第２のＲＡＴを使用して隣接ベースステーション測定及び／又は同期を遂行する。例えば、ＵＥは、第２のＲＡＴに対してページデコーディングを遂行し、第２のＲＡＴの隣接ベースステーションの測定を遂行し、及び第２のＲＡＴの１つ以上の隣接ベースステーションへの同期を遂行する。
【００７０】
隣接セル測定及び隣接セル同期の組み合わせは、「隣接セル検出」と称される。更に、６０６及び６０８におけるスレッシュホールドの使用は、より一般的には、隣接セル検出に適用され、例えば、隣接セル検出は、現在チャンネル状態がスレッシュホールドを越える場合にはスキップされるが、現在チャンネル状態がスレッシュホールドより低い場合には、遂行される。
【００７１】
６０６又は６０８（場合に応じて）の後に、この方法は、６０２へ復帰し、ＵＥは、第１のＲＡＴへチューンバックして、第１のＲＡＴを使用して通信を続ける。図６の方法は、周期的に遂行され、例えば、各ＤＲＸサイクルに遂行される。或いは又、現在チャンネル状態とスレッシュホールドとの比較は、各サイクルで行われるが、比較の結果は、新たな比較が遂行されるまで各サイクルで使用される。例えば、新たな比較は、現在チャンネル状態が測定されるたびに行われ、次いで、その後のサイクルに適用される。
【００７２】
ハンドオーバー中のチューンアウェイ
上述したように、ＵＥは、単一無線を使用し、２つの異なるＲＡＴを使用して通信することができる。例えば、ＵＥは、単一無線を使用し、第１のＲＡＴを使用して通信を行い、そして周期的にチューンアウェイして、第２のＲＡＴに対する種々のアクション、例えば、ページデコーディングを遂行する。この例では、ＵＥは、一度に１つのＲＡＴを使用して通信するだけであっても、同じ無線を使用して両ＲＡＴへの接続を維持するものと考えられる。ある実施形態では、第１のＲＡＴは、ＬＴＥであり、そして第２のＲＡＴは、ＧＳＭであるが、ＲＡＴの他の組み合わせも考えられる。あるケースでは、第２のＲＡＴに対してページデコーディングを遂行するために周期的に（例えば、各ＤＲＸサイクルに）チューンアウェイを行うのが典型的である。更に、ページデコーディングのためにチューンアウェイするが、ＵＥは、隣接セル測定及び／又は同期も行う。
【００７３】
ＵＥが第１のＲＡＴにおいて現在セルの縁にあるときには、ＵＥが第２のＲＡＴに対して現在セルの縁にあることも考えられる。その結果、ＵＥは、第１のＲＡＴでのハンドオーバー（及び／又は関連アクション）の遂行と、第２のＲＡＴでのハンドオーバー（及び／又は関連アクション）の遂行との間で衝突することがある。あるケースでは、第２のＲＡＴは、第１のＲＡＴより高いプライオリティを有し（例えば、到来するボイスコールに対してページデコーディングを遂行する必要があるために）、これは、第１のＲＡＴのハンドオーバープロセスを中断する。従って、第２のＲＡＴのチューンアウェイが第１のＲＡＴのハンドオーバープロセスを中断する場合には、第１のＲＡＴのハンドオーバープロセスが失敗となる。特に、ＵＥは、第１のＲＡＴから第２のＲＡＴへチューンアウェイして、ページデコーディング並びに第２のＲＡＴの測定、同期、及び／又はハンドオーバー手順（例えば、隣接セルＳＣＨ又はＦＣＣＨに対する）を遂行し、その結果、著しいチューンアウェイ期間となって、第１のＲＡＴハンドオーバーに対して問題を引き起こす。
【００７４】
従って、第１のＲＡＴがハンドオーバープロセスにある（例えば、ランダムアクセスチャンネル（ＲＡＣＨ）状態にある）場合には、第２のＲＡＴに対してあるプロセス（例えば、測定、同期、ＳＣＨプロセス、ＦＣＣＨプロセス、等であって、ハンドオーバープロセスに関連したもの）を遂行するためのチューンアウェイ要求が阻止される。しかしながら、１つの実施形態では、第２のＲＡＴに対するページデコーディングプロセスは、このハンドオーバープロセス中に阻止されない。従って、上述した実施形態と同様に、ＵＥは、第２のＲＡＴへのチューンアウェイにおいてページデコーディングを遂行するが、第１のＲＡＴのハンドオーバープロセスに影響する長いチューンアウェイ時間を回避するために第２のＲＡＴに対する測定及び／又は同期を遂行しない。更に、ある実施形態では、第２のＲＡＴに対する非ページング関連プロセスを遂行するための要求は、第１のＲＡＴがハンドオーバープロセスを完了し及び／又はＲＡＣＨ状態を退出する後まで遅延される。従って、ＵＥは、第１のＲＡＴに対するハンドオーバープロセスを良好に完了でき、そして第２のＲＡＴに対するページデコーディングの遂行を続けることができる。
【００７５】
図７：ハンドオーバー中のページデコーディング
図７は、第１のＲＡＴ及び第２のＲＡＴ（例えば、ＬＴＥ及びＧＳＭであるが、ＲＡＴの他の組み合わせも考えられる）の両方に対して第１無線を使用するＵＥ装置（例えば、ＵＥ１０６）によりページデコーディングを遂行する方法を示すフローチャートである。図７に示す方法は、他の装置の中で、添付図面に示すシステム又は装置のいずれかに関連して使用されるものである。種々の実施形態において、図示された方法の幾つかの要素は、同時に遂行されてもよいし、図示されたものとは異なる順序で遂行されてもよいし、又は省略されてもよい。必要に応じて、付加的な方法要素も遂行できることに注意されたい。この方法は、次のように遂行される。
【００７６】
図示されたように、７０２において、例えば、第１のＲＡＴの第１ベースステーションのセルの縁にある間に、ＵＥは、第１無線を使用して第１のＲＡＴに対するハンドオーバープロセスを開始する。例えば、ＵＥは、第１のＲＡＴのベースステーションの信号強度の測定、第１のＲＡＴネットワークからのメッセージ、及び／又は種々の理由のいずれかに応答して、第１のＲＡＴのハンドオーバープロセスに入る。１つの実施形態において、第１のＲＡＴは、ＬＴＥであるが、他のＲＡＴも考えられる。
【００７７】
７０４において、ハンドオーバープロセス中に、ＵＥは、例えば、第２のＲＡＴ（例えば、第２のＲＡＴに関連したスタック）からのページデコーディング要求に応答して、第２のＲＡＴを使用してページデコーディングを遂行するために第１のＲＡＴからチューンアウェイする。一実施形態では、ＵＥは、第１のＲＡＴのＲＡＣＨ状態の間に第２のＲＡＴに対するページデコーディングを遂行する。前記と同様に、ＵＥは、ページデコーディングに加えて、隣接ベースステーションの測定、隣接ベースステーションへの同期、ＳＣＨ又はＦＣＣＨプロセス、及び／又は一般的に第２のＲＡＴに関連したハンドオーバープロセスを遂行しない。その結果、ＵＥは、第１のＲＡＴのハンドオーバープロセスに対して問題を引き起こすような著しい時間中（例えば、３０−５０ミリ秒より長い）、第１のＲＡＴから第２のＲＡＴへのチューンアウェイを行わない。ある実施形態では、これらのプロセスは、第１のＲＡＴのハンドオーバープロセスが完了する後まで、例えば、次のＤＲＸサイクルにおいてハンドオーバーの完了後まで、単に遅延される。
【００７８】
ある実施形態では、７０４は、ここに述べるプロセス（例えば、第２のＲＡＴの測定、同期、ＳＣＨ又はＦＣＣＨプロセス、ハンドオーバープロセス、等）を遂行するために受け取った要求を阻止することを含む。しかしながら、ある実施形態では、前記と同様に、それらプロセスの１つ以上は、それが第１のＲＡＴへ戻る際に著しい遅延を生じることがなければ阻止されず、例えば、測定が充分に短い場合には測定は遂行されるが同期はとられない。しかしながら、他の実施形態では、それらプロセスの全部が第１のＲＡＴのハンドオーバー中に阻止される。ハンドオーバープロセスを遂行するのに要求される時間は、「ハンドオーバー期間」と称される。従って、そのようなハンドオーバー期間中に、ＵＥは、第２のＲＡＴの識別されたプロセスの１つ以上を遂行せず、例えば、必要に応じて、ページデコーディングを依然遂行する。
【００７９】
７０６において、ＵＥは、第１のＲＡＴに対する第１のハンドオーバープロセスを完了する。
【００８０】
７０８において、ハンドオーバー期間の後に、ＵＥは、第２のＲＡＴに対する阻止されたプロセスを、次のサイクル中、例えば、第２のＲＡＴの次のＤＲＸサイクル中に、遂行する。例えば、ＵＥは、ページデコーディング、並びに要求された又は望ましい測定、同期、ＳＣＨ又はＦＣＣＨプロセス、及び／又は第２のＲＡＴに対するハンドオーバー手順を遂行する。それとは別に又はそれに加えて、これら遅延されたプロセスは、次のサイクルより早く開始し、例えば、第１のＲＡＴに対する第１のハンドオーバープロセスが完了すると開始する。
【００８１】
従って、例えば、第１のＲＡＴ及び第２のＲＡＴが両方ともハンドオーバーの遂行を試みる場合には（又は前記別の仕方で第１のＲＡＴ及び第２のＲＡＴの両方に対してハンドオーバーが要求されるときには）、ＵＥは、第１のＲＡＴに対するハンドオーバープロセスを完了し、その後、第２のＲＡＴに対するハンドオーバープロセスを遂行する。
【００８２】
図８：規範的タイミング図
図８は、図７の方法の一実施形態に対応する規範的なタイミング図である。特に、図示されたように、第１のＲＡＴ８００に関連したハンドオーバープロセスが最初に開始される。このハンドオーバープロセスは、ＲＡＣＨ状態（例えば、ほぼ５０ミリ秒）と、それに続くＲＲＣ状態（例えば、ほぼ５０−１００ミリ秒）とを含む。ＲＡＣＨ状態の間に、ＵＥは、例えば、第２のＲＡＴのＤＲＸサイクルに基づいてページデコーディング（例えば、１０ミリ秒間）を遂行するために第１のＲＡＴから第２のＲＡＴへチューンアウェイする。第１のＲＡＴのハンドオーバープロセスが終了した後、ＵＥは、８５０で示す第２のＲＡＴに対する測定、同期及び／又はハンドオーバープロセスを遂行する。
【００８３】
規範的な実施形態
以下の番号付きの段落は、本開示の規範的な実施形態を示す。
【００８４】
１．第１無線を備え、該第１無線が第１の無線アクセス技術（ＲＡＴ）及び第２のＲＡＴに基づき動作するように構成可能であるユーザ装置（ＵＥ）において、ＵＥの第１無線を使用し、第１のＲＡＴを使用して通信を行い；ＵＥの第１無線を使用して、第２のＲＡＴの現在チャンネル状態の測定を遂行し；現在チャンネル状態がスレッシュホールドより低いかどうか決定し；ＵＥの第１無線を使用して、第２のＲＡＴの現在チャンネル状態がスレッシュホールドより低い場合には第２のＲＡＴに対する隣接セル同期を遂行し、第２のＲＡＴの現在チャンネル状態がスレッシュホールド以上である場合には隣接セル同期を遂行せず；ＵＥの第１無線を使用して、第２のＲＡＴの不連続受信（ＤＲＸ）サイクルごとにページデコーディングを遂行し；隣接セル同期及び第２のＲＡＴのＤＲＸサイクルごとのページデコーディングの前記遂行後、ＵＥの第１無線を使用し、第１のＲＡＴを使用して、通信を行い、前記隣接セル同期の遂行及びページデコーディングの遂行中に、ＵＥが第１のＲＡＴを使用して接続を維持する；ことを含む方法。
【００８５】
２．ＵＥの第１無線により、第２のＲＡＴの現在チャンネル状態がスレッシュホールド未満である場合には第２のＲＡＴの隣接セル測定を遂行することを更に含み、第２のＲＡＴの現在チャンネル状態がスレッシュホールド以上である場合には隣接セル同期を遂行しない、段落１に記載の方法。
【００８６】
３．隣接セル同期の前記遂行は、隣接セル検出を遂行する中で行われ、隣接セル検出の前記遂行は、隣接セル測定を遂行することを含み、そして第２のＲＡＴの現在チャンネル状態がスレッシュホールド以上である場合には隣接セル検出を遂行しない、段落１−２に記載の方法。
【００８７】
４．ＵＥは、セルラー通信を遂行するための単一無線のみを備え、その単一無線が前記第１無線である、段落１−３のいずれかに記載の方法。
【００８８】
５．ＵＥは、ＳＩＭ（加入者アイデンティティモジュール）機能を実施するように各々構成された２つのスマートカードを含み、ＵＥは、第１無線を使用してＤＳＤＡ（デュアルＳＩＭデュアルアクティブ）機能を実施するように構成される、段落１−４のいずれかに記載の方法。
【００８９】
６．前記スレッシュホールドは、ほぼ−８０ｄＢｍである、段落１−５のいずれかに記載の方法。
【００９０】
７．現在チャンネルのクオリティがスレッシュホールド未満であるかどうかの前記決定は、第２のＲＡＴのＤＲＸサイクルごとに遂行される、段落１−６のいずれかに記載の方法。
【００９１】
８．隣接セル同期の前記遂行は、第２のＲＡＴのＤＲＸサイクルごとに遂行される、段落１−７のいずれかに記載の方法。
【００９２】
９．現在チャンネル状態の測定の前記遂行は、第２のＲＡＴの受信信号強度を測定することを含み、隣接セル同期の前記遂行は、現在チャンネル状態がスレッシュホールド未満である場合に遂行される、段落１−８のいずれかに記載の方法。
【００９３】
１０．第１のＲＡＴは、ロング・ターム・エボリューション（ＬＴＥ）を含む、段落１−９のいずれかに記載の方法。
【００９４】
１１．選択的隣接セル測定を遂行するように構成されたユーザ装置（ＵＥ）において、第１の無線アクセス技術（ＲＡＴ）及び第２のＲＡＴを使用して通信を遂行しそして第１のＲＡＴ及び第２のＲＡＴへの接続を同時に維持するように構成された第１無線と；該第１無線に結合された１つ以上のプロセッサと；を備え、該１つ以上のプロセッサ及び前記第１無線は、第２のＲＡＴの受信信号強度の測定を遂行し；第２のＲＡＴの不連続受信（ＤＲＸ）サイクルごとにページデコーディングを遂行し；受信信号強度がスレッシュホールド未満であるかどうか決定し；第２のＲＡＴの受信信号強度がスレッシュホールド未満である場合にはページデコーディングに関連して第２のＲＡＴの隣接セル測定を遂行し、第２のＲＡＴの受信信号強度がスレッシュホールド以上である場合には前記隣接セル測定を遂行せず；第２のＲＡＴのページデコーディング及び隣接セル測定を遂行した後に第１のＲＡＴを使用して通信を行う；ように構成されたユーザ装置（ＵＥ）。
【００９５】
１２．１つ以上のプロセッサ及び第１無線は、第２のＲＡＴの受信信号強度がスレッシュホールド未満である場合にはページデコーディング及び隣接セル測定に関連して第２のＲＡＴの隣接セル同期を遂行するように構成される、段落１１に記載のＵＥ。
【００９６】
１３．ＵＥは、セルラー通信を遂行するための単一無線のみを備え、その単一無線が前記第１無線である、段落１１−１２のいずれかに記載のＵＥ。
【００９７】
１４．受信信号強度がスレッシュホールド未満であるかどうかの前記決定、及び受信信号強度がスレッシュホールド未満である場合の隣接セル測定の前記遂行は、第２のＲＡＴのＤＲＸサイクルごとに遂行される、段落１１−１３のいずれかに記載のＵＥ。
【００９８】
１５．前記スレッシュホールドは、ほぼ−８０ｄＢｍである、段落１１−１４に記載のＵＥ。
【００９９】
１６．第１のＲＡＴは、ロング・ターム・エボリューション（ＬＴＥ）を含み、そして第２のＲＡＴは、グローバルシステム・フォア・モバイルコミュニケーションズ（ＧＳＭ）を含む、段落１１−１５のいずれかに記載のＵＥ。
【０１００】
１７．ＵＥは、ＳＩＭ（加入者アイデンティティモジュール）機能を実施するように各々構成された２つのスマートカードを含み、ＵＥは、第１無線を使用してＤＳＤＡ（デュアルＳＩＭデュアルアクティブ）機能を実施するように構成される、段落１１−１６のいずれかに記載のＵＥ。
【０１０１】
１８．ユーザ装置（ＵＥ）により選択的な測定を遂行するためのプログラムインストラクションを記憶する非一時的コンピュータアクセス可能なメモリ媒体において、ＵＥは、第１の無線アクセス技術（ＲＡＴ）及び第２のＲＡＴを使用して通信するための単一無線のみを備え、前記プログラムインストラクションは、ＵＥの単一無線により、第１のＲＡＴを使用して通信し；ＵＥの単一無線により、第２のＲＡＴの現在チャンネル状態の測定を遂行し；第２のＲＡＴの現在チャンネル状態がスレッシュホールド未満であるかどうか決定し；そしてＵＥの単一無線により、第２のＲＡＴの現在チャンネル状態がスレッシュホールド未満である場合には、第２のＲＡＴの隣接セル検出を遂行し、第２のＲＡＴの現在チャンネル状態がスレッシュホールド以上である場合には、隣接セル検出を遂行せず、隣接セル検出を遂行する間に、ＵＥは、第１のＲＡＴを使用して接続を維持する；ようにプロセッサにより実行される、非一時的コンピュータアクセス可能なメモリ媒体。
【０１０２】
１９．前記第２のＲＡＴの現在チャンネル状態がスレッシュホールド未満である場合の隣接セル検出の前記遂行は、第２のＲＡＴの不連続受信（ＤＲＸ）サイクルごとに遂行される、段落１８に記載の非一時的コンピュータアクセス可能なメモリ媒体。
【０１０３】
２０．ＵＥは、ＳＩＭ（加入者アイデンティティモジュール）機能を実施するように各々構成された２つのスマートカードを含み、ＵＥは、単一無線を使用してＤＳＤＡ（デュアルＳＩＭデュアルアクティブ）機能を実施する、段落１８−１９のいずれかに記載の非一時的コンピュータアクセス可能なメモリ媒体。
【０１０４】
２１．第１無線を備え、該第１無線が第１の無線アクセス技術（ＲＡＴ）及び第２のＲＡＴに基づいて動作するように構成可能であるユーザ装置（ＵＥ）において、第１無線を使用して、第１無線アクセス技術（ＲＡＴ）の第１のベースステーションから第２のベースステーションへのハンドオーバーを遂行し、該ハンドオーバーは、第１のハンドオーバー期間中に遂行されるものであり；第１のハンドオーバー期間中に、第１無線を使用して、第２のＲＡＴのページデコーディングを遂行し、第１のハンドオーバー期間中に、ＵＥは、第２のＲＡＴに対する隣接セル同期を遂行せず；第１ハンドオーバー期間の後に、第１無線を使用して、第２のＲＡＴの隣接セル同期を遂行する；ことを含む方法。
【０１０５】
２２．第２のＲＡＴに対するページデコーディングの前記遂行は、第１のＲＡＴに関連したランダムアクセスチャンネル（ＲＡＣＨ）状態の間に遂行される、段落２１に記載の方法。
【０１０６】
２３．第１のハンドオーバー期間の後に、第２のＲＡＴの隣接セル同期を遂行するのに応答して第２のＲＡＴに対するハンドオーバーを遂行することを更に含む、段落２１−２２のいずれかに記載の方法。
【０１０７】
２４．第１のハンドオーバー期間の後に、第２のＲＡＴの隣接セル測定を遂行することを更に含む、段落２１−２３のいずれかに記載の方法。
【０１０８】
２５．ＵＥは、ＳＩＭ（加入者アイデンティティモジュール）機能を実施するよう各々構成された２つのスマートカードを含み、ＵＥは、第１無線を使用してＤＳＤＡ（デュアルＳＩＭデュアルアクティブ）機能を実施するように構成される、段落２１−２４のいずれかに記載の方法。
【０１０９】
２６．ＵＥは、セルラー通信を遂行するための単一無線のみを備え、その単一無線が前記第１無線である、段落２１−２５のいずれかに記載の方法。
【０１１０】
２７．第１のＲＡＴは、ロング・ターム・エボリューション（ＬＴＥ）を含む、段落２１−２６のいずれかに記載の方法。
【０１１１】
２８．第２のＲＡＴは、グローバルシステム・フォア・モバイルコミュニケーションズ（ＧＳＭ）を含む、段落２１−２７のいずれかに記載の方法。
【０１１２】
２９．第１の無線アクセス技術（ＲＡＴ）及び第２のＲＡＴを使用して通信を遂行しそして第１のＲＡＴ及び第２のＲＡＴの両方への接続を同時に維持するよう構成された第１無線と；該第１無線に結合された１つ以上のプロセッサと；を備え、その１つ以上のプロセッサ及び第１無線は、第１の無線アクセス技術（ＲＡＴ）の第１のベースステーションから第２のベースステーションへのハンドオーバーを遂行し、該ハンドオーバーは、第１のハンドオーバー期間中に遂行され、該第１のハンドオーバー期間中に第２のＲＡＴに対するページデコーディングを遂行し、第１のハンドオーバー期間中に、ＵＥは、第２のＲＡＴに対する隣接セル測定を遂行せず；第１のハンドオーバー周期の後に、第２のＲＡＴの隣接セル測定を遂行する；ように構成されたユーザ装置（ＵＥ）。
【０１１３】
３０．１つ以上のプロセッサ及び第１無線は、第１のハンドオーバー期間の後、第２のＲＡＴの隣接セル同期を遂行し、第１のハンドオーバー期間中に、ＵＥは、隣接セル同期を遂行しない、段落２９に記載のＵＥ。
【０１１４】
３１．１つ以上のプロセッサ及び第１無線は、第１のハンドオーバー期間の後、第２のＲＡＴに対するハンドオーバーを遂行するように構成された、段落２９−３０のいずれかに記載のＵＥ。
【０１１５】
３２．第２のＲＡＴに対するページデコーディングの前記遂行は、第１のＲＡＴに関連したランダムアクセスチャンネル（ＲＡＣＨ）状態の間に遂行される、段落２９−３０のいずれかに記載のＵＥ。
【０１１６】
３３．ＵＥは、ＳＩＭ（加入者アイデンティティモジュール）機能を実施するよう各々構成された２つのスマートカードを含み、ＵＥは、第１無線を使用してＤＳＤＡ（デュアルＳＩＭデュアルアクティブ）機能を実施するように構成される、段落２９−３０のいずれかに記載のＵＥ。
【０１１７】
３４．ＵＥは、セルラー通信を遂行するための単一無線のみを備え、その単一無線が前記第１無線である、段落２９−３３のいずれかに記載のＵＥ。
【０１１８】
３５．第１のＲＡＴは、ロング・ターム・エボリューション（ＬＴＥ）を含み、そして第２のＲＡＴは、グローバルシステム・フォア・モバイルコミュニケーションズ（ＧＳＭ）を含む、段落２９−３４のいずれかに記載のＵＥ。
【０１１９】
３６．ユーザ装置（ＵＥ）によりハンドオーバーを遂行するためのプログラムインストラクションを記憶する非一時的なコンピュータアクセス可能なメモリ媒体において、ＵＥは、第１の無線アクセス技術（ＲＡＴ）及び第２のＲＡＴを使用して通信するための第１無線を備え、前記プログラムインストラクションは、ＵＥの第１無線を使用して、第１のＲＡＴの第１のベースステーションから第２のベースステーションへのハンドオーバーを遂行し、そのハンドオーバーは、第１のハンドオーバー期間中に遂行され；ＵＥの第１無線を使用して、第１のハンドオーバー期間中に、第２のＲＡＴに対する隣接セル測定、隣接セル同期、又はハンドオーバー手順を遂行せずに第２のＲＡＴに対するページデコーディングを遂行し；そして第１のＲＡＴの第１のベースステーションから第２のベースステーションへのハンドオーバーの遂行を完了させる；ようにプロセッサにより実行される、非一時的なコンピュータアクセス可能なメモリ媒体。
【０１２０】
３７．プログラムインストラクションは、更に、第１のハンドオーバー期間の後、第２のＲＡＴに対する隣接セル測定及び／又は同期を遂行するように実行可能である、段落３６に記載の非一時的なコンピュータアクセス可能なメモリ媒体。
【０１２１】
３８．プログラムインストラクションは、更に、第１のハンドオーバー期間の後、第２のＲＡＴに対するハンドオーバーを遂行するように実行可能である、段落３６−３７に記載の非一時的なコンピュータアクセス可能なメモリ媒体。
【０１２２】
３９．ＵＥは、ＳＩＭ（加入者アイデンティティモジュール）機能を実施するよう各々構成された２つのスマートカードを含み、ＵＥは、第１無線を使用してＤＳＤＡ（デュアルＳＩＭデュアルアクティブ）機能を実施するように構成される、段落３６−３８のいずれかに記載の非一時的なコンピュータアクセス可能なメモリ媒体．
【０１２３】
４０．第１のＲＡＴは、ロング・ターム・エボリューション（ＬＴＥ）を含む、段落３６−３９のいずれかに記載の非一時的なコンピュータアクセス可能なメモリ媒体。
【０１２４】
４１．第１の無線アクセス技術（ＲＡＴ）及び第２のＲＡＴに基づいて動作するように構成可能な第１無線を備えたユーザ装置（ＵＥ）により選択的なチューンアウェイを遂行する方法において、ＵＥの第１無線により、第１のＲＡＴを使用して通信を行い；ＵＥの第１無線により、第１のＲＡＴに対する受信信号強度の測定を遂行し；受信信号強度がスレッシュホールド未満であるかどうか決定し；ＵＥの第１無線により、セルラーネットワークの受信信号強度がスレッシュホールド未満である場合には第１のＲＡＴの再選択のために隣接セル同期を遂行し、第１のＲＡＴの受信信号強度がスレッシュホールド以上である場合には再選択のために隣接セル同期を遂行せず；ＵＥの第１無線により、第１のＲＡＴの不連続受信（ＤＲＸ）サイクルごとにページデコーディングを遂行し；及び第１無線により、第２のＲＡＴを使用する通信を、第１のＲＡＴを使用する前記通信と同時に遂行する；ことを含む方法。
【０１２５】
４２．ＵＥの第１無線により、第１のＲＡＴの受信信号強度がスレッシュホールド未満である場合には第１のＲＡＴの再選択のために隣接セル測定を遂行し、第１のＲＡＴの受信信号強度がスレッシュホールド以上である場合には再選択のために隣接セル測定を遂行しない；ことを更に含む段落４１に記載の方法。
【０１２６】
４３．隣接セル同期の前記遂行は、隣接セル検出を遂行する中に含まれ、隣接セル検出の前記遂行は、隣接セル測定を遂行することを含み、そして第１のＲＡＴの受信信号強度がスレッシュホールド以上である場合には隣接セル検出を遂行しない、段落４１−４２のいずれかに記載の方法。
【０１２７】
４４．ＵＥは、セルラー通信を遂行するための単一無線のみを備え、その単一無線が前記第１無線である、段落４１−４３のいずれかに記載の方法。
【０１２８】
４５．単一無線のみを備えたユーザ装置（ＵＥ）により選択的なチューンアウェイを遂行する方法において、ＵＥの単一無線により、第１の無線アクセス技術（ＲＡＴ）を使用して通信を行い；ＵＥの単一無線により、第１のＲＡＴに対する受信信号強度の測定を遂行し；受信信号強度がスレッシュホールド未満であるかどうか決定し；ＵＥの単一無線により、セルラーネットワークの受信信号強度がスレッシュホールド未満である場合には第１のＲＡＴの再選択のために隣接セル測定を遂行し、世代ネットワークの受信信号強度がスレッシュホールド以上である場合には再選択のために隣接セル測定を遂行せず；ＵＥの単一無線により、第１のＲＡＴの不連続受信（ＤＲＸ）サイクルごとにページデコーディングを遂行し；及び単一無線により、第２の無線アクセス技術（ＲＡＴ）を使用する通信を、第１のＲＡＴを使用する前記通信と同時に遂行する；ことを含む方法。
【０１２９】
４６．前記スレッシュホールドは、ほぼ−８０ｄＢｍである、段落４５に記載の方法。
【０１３０】
４７．単一無線のみを備えたユーザ装置（ＵＥ）により選択的なチューンアウェイを遂行する方法において、ＵＥの単一無線により、第１の無線アクセス技術（ＲＡＴ）を使用して通信を行い；ＵＥの単一無線により、第１のＲＡＴに対する受信信号強度の測定を遂行し；受信信号強度がスレッシュホールド未満であるかどうか決定し；ＵＥの単一無線により、セルラーネットワークの受信信号強度がスレッシュホールド未満である場合には第１のＲＡＴの再選択のために隣接セル測定を遂行し、世代ネットワークの受信信号強度がスレッシュホールド以上である場合には再選択のために隣接セル測定を遂行せず；ＵＥの単一無線により、第１のＲＡＴの不連続受信（ＤＲＸ）サイクルごとにページデコーディングを遂行する；ことを含む、方法。
【０１３１】
４８．単一無線により、第２の無線アクセス技術（ＲＡＴ）を使用する通信を、第１のＲＡＴを使用する前記通信と同時に遂行する；ことを更に含む、段落４７に記載の方法。
【０１３２】
４９．第１の無線アクセス技術（ＲＡＴ）及び第２のＲＡＴを使用して通信するように構成された単一無線を備えたＵＥのハンドオーバーを遂行する方法において、ＵＥの単一無線により、第１無線アクセス技術（ＲＡＴ）の第１のベースステーションから第２のベースステーションへのハンドオーバーを遂行し、該ハンドオーバーは、第１のハンドオーバー期間中に遂行されるものであり；第１のハンドオーバー期間中に、ＵＥにより、単一無線を使用して、第２のＲＡＴのページデコーディングを遂行し、第１のハンドオーバー期間中に、ＵＥは、第２のＲＡＴの再選択のための隣接セル同期を遂行せず；第１ハンドオーバー期間の後に、ＵＥにより、単一無線を使用して、第２のＲＡＴの再選択のための隣接セル同期を遂行する；ことを含む方法。
【０１３３】
５０．第２のＲＡＴに対するページデコーディングの前記遂行は、第１のＲＡＴに関連したランダムアクセスチャンネル（ＲＡＣＨ）状態の間に遂行される、段落４９に記載の方法。
【０１３４】
５１．第１のＲＡＴは、ロング・ターム・エボリューション（ＬＴＥ）を含む、段落４９−５０のいずれかに記載の方法。
【０１３５】
５２．第２のＲＡＴは、ＧＳＭを含む、段落４９−５１のいずれかに記載の方法。
【０１３６】
５３．第１の無線アクセス技術（ＲＡＴ）及び第２のＲＡＴを使用して通信するように構成可能な第１無線を備えたＵＥのハンドオーバーを遂行する方法であって、該第１無線は、セルラー通信を遂行するための複数の無線の１つであり、前記方法は、ＵＥの第１無線により、第１の無線アクセス技術（ＲＡＴ）の第１のベースステーションから第２のベースステーションへのハンドオーバーを遂行し、該ハンドオーバーは、第１のハンドオーバー期間中に遂行されるものであり；その第１のハンドオーバー期間中に、ＵＥにより、第１無線を使用して、第２のＲＡＴのページデコーディングを遂行し、第１のハンドオーバー期間中に、ＵＥは、第２のＲＡＴの再選択のための隣接セル同期を遂行せず；第１ハンドオーバー期間の後に、ＵＥにより、第１無線を使用して、第２のＲＡＴの再選択のための隣接セル同期を遂行する；ことを含む方法。
【０１３７】
５４．１つの無線がターンオフされた場合に、前記方法は、上述したように遂行されるが、ＧＳＭ  ＲＡＴが複数の試みられたハンドオーバーを遂行する場合には、第２の無線にターンバックしてその無線をＧＳＭ専用とし、ＬＴＥ（ＬＴＥハンドオーバー）を妨げないようにする、段落５３に記載の方法。
【０１３８】
５５．第２のＲＡＴの隣接セル同期チャンネル又は周波数修正チャンネルに対するチューンアウェイ要求を阻止するＵＥは、ＬＴＥハンドオーバー接続性を改善するように動作する、段落５３−５４のいずれかに記載の方法。
【０１３９】
５６．ＵＥのハンドオーバーを遂行する方法において、ＵＥは、ＬＴＥハンドオーバー中にランダムアクセスチャンネル（ＲＡＣＨ）を経て通信してターゲットセルにアクセスし；ＵＥは、それがランダムアクセスチャンネルを経て通信する間に隣接セル同期チャンネル又は周波数修正チャンネルに対するＧＳＭチューンアウェイ要求を阻止し、ページングチャンネルデコーディングのための現在ＧＳＭサービングセルへのチューンアウェイ要求は、阻止されず；ＵＥは、ページングチャンネルデコーディングのための現在ＧＳＭサービングセルへのチューンアウェイを遂行して、ボイスコールページング性能を維持し；ＵＥがランダムアクセスチャンネルを経て通信する間に隣接セル同期チャンネル又は周波数修正チャンネルに対するＧＳＭチューンアウェイ要求を阻止するＵＥは、ＬＴＥハンドオーバー接続性を改善するように動作する方法。
【０１４０】
５７．ＵＥは、ＳＩＭ（加入者アイデンティティモジュール）機能を各々実施する２つのスマートカードを含み、ＵＥは、ＤＳＤＡ（デュアルＳＩＭデュアルアクティブ）機能を実施する、前記段落のいずれかに記載の方法。
【０１４１】
５８．詳細な説明に実質的に述べられたアクション又はアクションの組み合わせを含む方法。
【０１４２】
５９．図１から図８の各々又はその組み合わせを参照するか、或いは詳細な説明における段落の各々又はその組み合わせを参照して実質的に述べた方法。
【０１４３】
６０．詳細な説明に実質的に述べたアクション又はアクションの組み合わせを遂行するように構成されたワイヤレス装置。
【０１４４】
６１．ワイヤレス装置に含まれるものとして詳細な説明に述べたコンポーネント又はコンポーネントの組み合わせを含むワイヤレス装置。
【０１４５】
６２．実行時に、詳細な説明に実質的に述べたアクション又はアクションの組み合わせを遂行させるインストラクションを記憶する不揮発性コンピュータ読み取り可能な媒体。
【０１４６】
６３．詳細な説明に実質的に述べたアクション又はアクションの組み合わせを遂行するように構成された集積回路。
【０１４７】
本発明の実施形態は、種々の形態のいずれかで実現することができる。例えば、ある実施形態では、本発明は、コンピュータ実施方法、コンピュータ読み取り可能なメモリ媒体又はコンピュータシステムとして実現される。他の実施形態では、本発明は、ＡＳＩＣのような１つ以上のカスタム設計のハードウェア装置を使用して実現される。又、他の実施形態では、本発明は、ＦＰＧＡのような１つ以上のプログラム可能なハードウェア要素を使用して実現される。
【０１４８】
ある実施形態では、非一時的なコンピュータ読み取り可能なメモリ媒体は、プログラムインストラクション及び／又はデータを記憶するように構成され、プログラムインストラクションは、コンピュータシステムにより実行された場合に、コンピュータシステムが、方法、例えば、ここに述べる方法実施形態のいずれか、又はここに述べる方法実施形態の任意の組み合わせ、或いはここに述べる方法実施形態のいずれかのサブセット、又はそのようなサブセットの任意の組み合わせ遂行するようにさせる。
【０１４９】
ある実施形態では、装置（例えば、ＵＥ）は、プロセッサ（又はプロセッサのセット）及びメモリ媒体を含むように構成され、メモリ媒体は、プログラムインストラクションを記憶し、プロセッサは、メモリ媒体からプログラムインストラクションを読み取って実行するように構成され、プログラムインストラクションは、ここに述べる種々の方法実施形態のいずれか（又はここに述べる方法実施形態の任意の組み合わせ、或いはここに述べる方法実施形態のいずれかのサブセット、又はそのようなサブセットの組み合わせ）を実施するように実行される。装置は、種々の形態のいずれかで実施される。
【０１５０】
以上、本発明の実施形態を非常に詳細に説明したが、当業者であれば、前記開示が充分に理解されれば、多数の変更や修正が明らかとなろう。特許請求の範囲は、そのような全ての変更や修正を包含すると解釈される。
【符号の説明】
【０１５１】
１２：ハウジング
１４：ディスプレイ
１６：ホームボタン
１８：スピーカボタン
２８：ストレージ及び処理回路
４０：アンテナ
４２：コントロール回路
５７：第１無線
５８：ベースバンドプロセッサ
５９：トランシーバ（ＴＸ）チェーン
６０：高周波トランシーバ回路
６１、６３：受信器（ＲＸ）チェーン
６２：高周波フロントエンド
６３：第２無線
７２：ＧＳＭロジック
７４：ＬＴＥロジック
１００：コアネットワーク
１０２：ベースステーション
１０６：ユーザ装置（ＵＥ）
１０８：外部ネットワーク
３１０：ＵＩＣＣカード
４００：システムオンチップ（ＳＯＣ）
４０２：プロセッサ
４０４：ディスプレイ回路
４０６：メモリ
４１０：ＮＡＮＤフラッシュ
４２０：コネクタインターフェイス
４２９：ショートレンジワイヤレス通信回路
４３０：セルラー通信回路
４３５、４３６：アンテナ
４４０：メモリマネージメントユニット（ＭＭＵ）
４５０：リードオンリメモリ（ＲＯＭ）
４６０：ディスプレイ
５０４：プロセッサ
５３０：無線
５３２：通信チェーン
５３４：アンテナ
５５０：ＲＯＭ
５６０：メモリ
５７０：ネットワークポート
【図１】
0006052635.tif 000002
【図２】
0006052635.tif 000003
【図３】
0006052635.tif 000004
【図４】
0006052635.tif 000005
【図５Ａ】
0006052635.tif 000006
【図５Ｂ】
0006052635.tif 000007
【図６】
0006052635.tif 000008
【図７】
0006052635.tif 000009
【図８】
0006052635.tif 000010